(57)【要約】方法及びシステムは、ユーザ選択に応じて、移動デバイス上に広告項目を表示することを実現する。広告項目は挿入ポイントより先に移動デバイスに送信され、メモリ中に記憶されることができる。移動デバイスは、コンテンツ項目の表示中に、広告コンテンツに関連した代替物のリストを表示し、一つを選択するようにユーザを促すことができる。移動デバイスは、受信されたユーザ入力あるいは入力の欠如に基づいて、挿入ポイントに表示すべき広告コンテンツ項目を決定することができる。さらなる実施形態において、移動デバイスは、ディストリビュータ、コンテンツ・プロバイダ、あるいは第三者のようなサービスへ、表示される広告項目を報告する。さらなる実施形態においては、ユーザに提示されるべき代替の広告項目の選択は、各広告項目に関連する重みつけ値に基づいてなされる。このような重みつけ値は、広告項目がユーザ・インターフェースの表示装置においてリストされるか、あるいは表示されるときに調節されることができる。【選択図】図１
2013516914.tif 000002
【特許請求の範囲】
【請求項１】
下記を備える、ユーザ対話に基づいて移動デバイス上での表示のために広告コンテンツを選択する方法、
前記移動デバイスにおいてマルチメディア・コンテンツ・ストリームを受け取ること、
前記マルチメディア・コンテンツ・ストリーム内の広告の挿入ポイントのしるしを受け取ること、
前記移動デバイス上におけるマルチメディア・コンテンツ項目の表示中に広告コンテンツに関連した選択を入力するために前記移動デバイスのユーザのためのプロンプトを表示すること、
受け取られたユーザ入力が存在する場合、その受け取られたユーザ入力に基づいて表示のための広告コンテンツ項目を決定すること、
前記挿入ポイントから始まる前記決定された広告コンテンツ項目を前記移動デバイス上に表示すること。
【請求項２】
下記をさらに備える請求項１記載の方法、
挿入ポイントの前記しるしを受け取る前に広告コンテンツ項目を受け取ること、
前記移動デバイスのメモリに前記受け取られた広告コンテンツを記憶すること、
ここにおいて、前記挿入ポイントから始まる前記決定された広告コンテンツ項目を前記移動デバイス上に表示することは、前記決定された広告コンテンツ項目をメモリから呼び出すことを備える。
【請求項３】
下記をさらに備える請求項２記載の方法、
前記決定された広告コンテンツ項目の識別子を記録すること、
前記広告コンテンツ項目の前記識別子をサービスに報告すること。
【請求項４】
下記をさらに備える請求項２記載の方法、
タイム・リミットが満期になるまで、ユーザ入力のための前記プロンプトの表示に続いてユーザ入力を受け付けること、
ユーザ入力が前記タイム・リミット内に受け取られたか否かを決定すること、
ここにおいて、受け取られたユーザ入力が存在する場合その受け取られたユーザ入力に基づいて表示のための広告コンテンツ項目を決定することは、ユーザ入力が前記タイム・リミット内に受け取られなかったことが決定されるとき、デフォルト広告コンテンツ項目を選択することを備える。
【請求項５】
広告コンテンツに関連した選択を入力するために前記移動デバイスのユーザのためのプロンプトを表示することは、広告コンテンツに関連した代替の選択のリストを含むユーザ・インターフェース表示を生成すること、及び提供されるユーザ入力インターフェースのうちの１つを活動化することにより、ユーザが選択された代替物を示すことを可能にするように構成されたユーザ入力インターフェースを提供することを備える、請求項４記載の方法。
【請求項６】
広告コンテンツに関連した代替の選択の前記リストは、代替の広告コンテンツ項目のリストを備え、
受け取られたユーザ入力が存在する場合に、その受け取られたユーザ入力に基づいて表示のための広告コンテンツ項目を決定することは、ユーザ入力が前記タイム・リミット内に受け取られたことが決定されるとき、受け取られたユーザ入力に対応した広告コンテンツ項目を選択することを備える、請求項５記載の方法。
【請求項７】
広告コンテンツに関連した代替の選択の前記リストは、広告コンテンツのタイプのリストを備える、
受け取られたユーザ入力が存在する場合に、その受け取られたユーザ入力に基づいて表示のための広告コンテンツ項目を決定することは、ユーザ入力が前記タイム・リミット内に受け取られたことが決定されるとき、受け取られたユーザ入力に対応した広告コンテンツのタイプに一致したタイプの広告コンテンツ項目を選択することを備える、請求項５記載の方法。
【請求項８】
広告コンテンツに関連した代替の選択のリストを含むユーザ・インターフェース表示を生成することは、ユーザ・プリファランス設定に基づいて広告コンテンツに関連した代替の選択のリストを生成することを備える、請求項５記載の方法。
【請求項９】
広告コンテンツに関連した代替の選択のリストを含むユーザ・インターフェース表示を生成することは、ユーザ人口統計学情報に基づいて広告コンテンツに関連した代替の選択のリストを生成することを備える、請求項５記載の方法。
【請求項１０】
受け取られた広告コンテンツ項目は対応した重みつけ値を含み、
広告コンテンツに関連した代替の選択のリストを含むユーザ・インターフェース表示を生成することは、メモリに記憶された広告コンテンツ項目の前記対応した重みつけ値に基づいて代替の広告コンテンツ項目のリストを生成することを備える
請求項５記載の方法。
【請求項１１】
下記をさらに備える、請求項１０記載の方法、
前記表示された広告コンテンツ項目に対応した前記重みつけ値を調節すること。
【請求項１２】
前記マルチメディア・コンテンツ・ストリーム内の広告のための挿入ポイントの前記受け取られたしるしは、代替の選択の前記リストに含めるための広告コンテンツ項目を選択することに関連したメタデータを含む、
メモリに記憶された広告コンテンツ項目の前記対応した重みつけ値に基づいて代替の広告コンテンツ項目の前記リストを生成することは、前記挿入ポイントの前記受け取られたしるしに含まれる前記メタデータ及び前記対応した重みつけ値に基づいて、代替の広告コンテンツ項目の前記リストを生成することをさらに備える
請求項１０記載の方法。
【請求項１３】
下記を備える、ユーザ対話に基づいて広告コンテンツを表示するように構成された移動デバイス、
マルチメディア・コンテンツ・ストリームを受け取るための手段、
マルチメディア・コンテンツ・ストリーム内の広告のための挿入ポイントのしるしを受け取るための手段、
前記移動デバイス上のマルチメディア・コンテンツ項目の表示中に広告コンテンツに関連した選択を入力するために前記移動デバイスのユーザのためのプロンプトを表示するための手段、
受け取られたユーザ入力が存在する場合に、その受け取られたユーザ入力に基づいて表示のための広告コンテンツ項目を決定するための手段、
前記挿入ポイントから始まる前記決定された広告コンテンツ項目を表示するための手段。
【請求項１４】
下記をさらに備える、請求項１３記載の移動デバイス、
挿入ポイントの前記しるしを受け取る前に広告コンテンツ項目を受け取るための手段、
前記受け取られた広告コンテンツを記憶するためのメモリ手段、
ここにおいて、前記挿入ポイントから始まる前記決定された広告コンテンツ項目を表示するための手段は、前記決定された広告コンテンツ項目を前記メモリ手段から呼び出すための手段を備える。
【請求項１５】
下記をさらに備える請求項１４記載の移動デバイス、
前記決定された広告コンテンツ項目の識別子を記録するための手段、
前記広告コンテンツ項目の前記識別子をサービスに報告するための手段。
【請求項１６】
下記をさらに備える請求項１４記載の移動デバイス、
タイム・リミットが満期になるまで、ユーザ入力のための前記プロンプトの表示に続いてユーザ入力を受け付けるための手段、
ユーザ入力が前記タイム・リミット内に受け取られたか否かを決定するための手段、
ここにおいて、受け取られたユーザ入力が存在する場合に、その受け取られたユーザ入力に基づいて表示のための広告コンテンツ項目を決定するための手段は、ユーザ入力が前記タイム・リミット内に受け取られなかったことが決定されるとき、デフォルト広告コンテンツ項目を選択するための手段を備える。
【請求項１７】
広告コンテンツに関連した選択を入力するために前記移動デバイスのユーザのためのプロンプトを表示するための手段は、広告コンテンツに関連した代替の選択のリストを含むユーザ・インターフェース表示を生成するための手段、及び提供されるユーザ入力インターフェースのうちの１つを活動化することにより、ユーザが選択された代替物を示すことを可能にするように構成されたユーザ入力インターフェースを提供する手段を備える、請求項１６記載の移動デバイス。
【請求項１８】
広告コンテンツに関連した代替の選択の前記リストは、代替の広告コンテンツ項目のリストを備え、
受け取られたユーザ入力が存在する場合に、その受け取られたユーザ入力に基づいて表示のための広告コンテンツ項目を決定するための手段は、ユーザ入力が前記タイム・リミット内に受け取られたことが決定されるとき、受け取られたユーザ入力に対応した広告コンテンツ項目を選択するための手段を備える、請求項１７記載の移動デバイス。
【請求項１９】
広告コンテンツに関連した代替の選択の前記リストは、広告コンテンツのタイプのリストを備える、
受け取られたユーザ入力が存在する場合に、その受け取られたユーザ入力に基づいて表示のための広告コンテンツ項目を決定するための手段は、ユーザ入力が前記タイム・リミット内に受け取られたことが決定されるとき、受け取られたユーザ入力に対応した広告コンテンツのタイプに一致したタイプの広告コンテンツ項目を選択するための手段を備える、請求項１７記載の移動デバイス。
【請求項２０】
広告コンテンツに関連した代替の選択のリストを含むユーザ・インターフェース表示を生成するための手段は、ユーザ・プリファランス設定に基づいて広告コンテンツに関連した代替の選択のリストを生成するための手段を備える、請求項１７記載の移動デバイス。
【請求項２１】
広告コンテンツに関連した代替の選択のリストを含むユーザ・インターフェース表示を生成するための手段は、ユーザ人口統計学情報に基づいて広告コンテンツに関連した代替の選択のリストを生成するための手段を備える、請求項１７記載の移動デバイス。
【請求項２２】
受け取られた広告コンテンツ項目は対応した重みつけ値を含み、
広告コンテンツに関連した代替の選択のリストを含むユーザ・インターフェース表示を生成するための手段は、前記メモリ手段に記憶された広告コンテンツ項目の前記対応した重みつけ値に基づいて代替の広告コンテンツ項目のリストを生成するための手段を備える
請求項１７記載の移動デバイス。
【請求項２３】
下記をさらに備える、請求項２２記載の移動デバイス、
前記表示された広告コンテンツ項目に対応した前記重みつけ値を調節するための手段。
【請求項２４】
前記マルチメディア・コンテンツ・ストリーム内の広告のための挿入ポイントの前記受け取られたしるしは、代替の選択の前記リストに含めるための広告コンテンツ項目を選択することに関連したメタデータを含む、
メモリに記憶された広告コンテンツ項目の前記対応した重みつけ値に基づいて代替の広告コンテンツ項目の前記リストを生成するための手段は、前記挿入ポイントの前記受け取られたしるしに含まれる前記メタデータ及び前記対応した重みつけ値に基づいて、代替の広告コンテンツ項目の前記リストを生成するための手段をさらに備える
請求項２２記載の移動デバイス。
【請求項２５】
下記を備える、ユーザ対話に基づいて広告コンテンツを表示するように構成された移動デバイス、
プロセッサ、
前記プロセッサに結合された表示装置、
前記プロセッサに結合され、マルチメディア・ブロードキャストを受信するように構成された受信機回路、
前記プロセッサに結合されたメモリ、
ここにおいて、前記プロセッサは、プロセッサ実行可能な命令を用いて、下記を備える動作を行うように構成される、
前記受信機回路からマルチメディア・コンテンツ・ストリームを受け取ること、
前記マルチメディア・コンテンツ・ストリーム内の広告のための挿入ポイントのしるしを受け取ること、
前記表示装置上におけるマルチメディア・コンテンツ項目の表示中に広告コンテンツに関する選択を入力するために前記移動デバイスのユーザのためのプロンプトを表示すること、
受け取られたユーザ入力が存在する場合に、その受け取られたユーザ入力に基づいて表示のための広告コンテンツ項目を決定すること、
前記挿入ポイントから始まる前記決定された広告コンテンツ項目を前記表示装置上に表示すること。
【請求項２６】
前記プロセッサは、プロセッサ実行可能な命令を用いて、下記をさらに備える動作を行うように構成される、請求項２５記載の移動デバイス、
挿入ポイントの前記しるしを受け取る前に広告コンテンツ項目を受け取ること、
前記メモリに前記受け取られた広告コンテンツを記憶すること、
ここにおいて、前記挿入ポイントから始まる前記決定された広告コンテンツ項目を前記表示装置上に表示することは、前記決定された広告コンテンツ項目を前記メモリから呼び出すことを備える。
【請求項２７】
前記プロセッサは、プロセッサ実行可能な命令を用いて、下記をさらに備える動作を行うように構成される、請求項２６記載の移動デバイス、
前記決定された広告コンテンツ項目の識別子を記録すること、
前記広告コンテンツ項目の前記識別子をサービスに報告すること。
【請求項２８】
前記プロセッサは、プロセッサ実行可能な命令を用いて、下記をさらに備える動作を行うように構成される、請求項２６記載の移動デバイス、
タイム・リミットが満期になるまで、ユーザ入力のための前記プロンプトの表示に続いてユーザ入力を受け付けること、
ユーザ入力が前記タイム・リミット内に受け取られたか否かを決定すること、
ここにおいて、受け取られたユーザ入力が存在する場合その受け取られたユーザ入力に基づいて表示のための広告コンテンツ項目を決定することは、ユーザ入力が前記タイム・リミット内に受け取られなかったことが決定されるとき、デフォルト広告コンテンツ項目を選択することを備える。
【請求項２９】
前記プロセッサは、プロセッサ実行可能な命令を用いて、広告コンテンツに関連した選択を入力するために前記移動デバイスのユーザのためのプロンプトを表示することが、広告コンテンツに関連した代替の選択のリストを含むユーザ・インターフェース表示を生成すること、及び提供されるユーザ入力インターフェースのうちの１つを活動化することにより、ユーザが選択された代替物を示すことを可能にするように構成されたユーザ入力インターフェースを提供することをできるように、動作を行うように構成される、請求項２８記載の移動デバイス。
【請求項３０】
前記プロセッサは、プロセッサ実行可能な命令を用いて、
広告コンテンツに関連した代替の選択の前記リストが、代替の広告コンテンツ項目のリストを備え、
受け取られたユーザ入力が存在する場合に、その受け取られたユーザ入力に基づいて表示のための広告コンテンツ項目を決定することが、ユーザ入力が前記タイム・リミット内に受け取られたことが決定されるとき、受け取られたユーザ入力に対応した広告コンテンツ項目を選択することをできるように、
動作を行うように構成される、請求項２９記載の移動デバイス。
【請求項３１】
前記プロセッサは、プロセッサ実行可能な命令を用いて、
広告コンテンツに関連した代替の選択の前記リストは、広告コンテンツのタイプのリストを備える、
受け取られたユーザ入力が存在する場合に、その受け取られたユーザ入力に基づいて表示のための広告コンテンツ項目を決定することは、ユーザ入力が前記タイム・リミット内に受け取られたことが決定されるとき、受け取られたユーザ入力に対応した広告コンテンツのタイプに一致したタイプの広告コンテンツ項目を選択することをできるように、
動作を行うように構成される、請求項２９記載の移動デバイス。
【請求項３２】
前記プロセッサは、プロセッサ実行可能な命令を用いて、広告コンテンツに関連した代替の選択のリストを含むユーザ・インターフェース表示を生成することは、ユーザ・プリファランス設定に基づいて広告コンテンツに関連した代替の選択のリストを生成することをできるように、動作を行うように構成される、請求項２９記載の移動デバイス。
【請求項３３】
前記プロセッサは、プロセッサ実行可能な命令を用いて、広告コンテンツに関連した代替の選択のリストを含むユーザ・インターフェース表示を生成することは、ユーザ人口統計学情報に基づいて広告コンテンツに関連した代替の選択のリストを生成することをできるように、動作を行うように構成される、請求項２９記載の移動デバイス。
【請求項３４】
前記プロセッサは、プロセッサ実行可能な命令を用いて、
受け取られた広告コンテンツ項目は対応した重みつけ値を含み、
広告コンテンツに関連した代替の選択のリストを含むユーザ・インターフェース表示を生成することは、メモリに記憶された広告コンテンツ項目の前記対応した重みつけ値に基づいて代替の広告コンテンツ項目のリストを生成することをできるように、
動作を行うように構成される、請求項２９記載の移動デバイス。
【請求項３５】
前記プロセッサは、プロセッサ実行可能な命令を用いて、下記をさらに備える動作を行うように構成される、請求項３４記載の移動デバイス、
前記表示された広告コンテンツ項目に対応した前記重みつけ値を調節すること。
【請求項３６】
前記プロセッサは、プロセッサ実行可能な命令を用いて、下記をできるように動作を行うように構成される、請求項３４記載の移動デバイス、
前記マルチメディア・コンテンツ・ストリーム内の広告のための挿入ポイントの前記受け取られたしるしは、代替の選択の前記リストに含めるための広告コンテンツ項目を選択することに関連したメタデータを含む、
メモリに記憶された広告コンテンツ項目の前記対応した重みつけ値に基づいて代替の広告コンテンツ項目の前記リストを生成することは、前記挿入ポイントの前記受け取られたしるしに含まれる前記メタデータ及び前記対応した重みつけ値に基づいて、代替の広告コンテンツ項目の前記リストを生成することをさらに備える。
【請求項３７】
下記を備える動作を、移動デバイスのプロセッサに行わせるように構成されたプロセッサ実行可能な命令がその上に記憶されたタンジブル・プロセッサ可読記憶媒体、
マルチメディア・コンテンツ・ストリームを受け取ること、
前記マルチメディア・コンテンツ・ストリーム内の広告の挿入ポイントのしるしを受け取ること、
前記移動デバイス上におけるマルチメディア・コンテンツ項目の表示中に広告コンテンツに関連した選択を入力するために前記移動デバイスのユーザのためのプロンプトを表示すること、
受け取られたユーザ入力が存在する場合、その受け取られたユーザ入力に基づいて表示のための広告コンテンツ項目を決定すること、
前記挿入ポイントから始まる前記決定された広告コンテンツ項目を前記移動デバイス上に表示すること。
【請求項３８】
前記記憶されたプロセッサ実行可能な命令は、下記をさらに備える動作を、移動デバイスのプロセッサに行わせるように構成される、請求項３７記載のタンジブル・プロセッサ可読記憶媒体、
挿入ポイントの前記しるしを受け取る前に広告コンテンツ項目を受け取ること、
前記移動デバイスのメモリに前記受け取られた広告コンテンツを記憶すること、
ここにおいて、前記挿入ポイントから始まる前記決定された広告コンテンツ項目を前記移動デバイス上に表示することは、前記決定された広告コンテンツ項目をメモリから呼び出すことを備える。
【請求項３９】
前記記憶されたプロセッサ実行可能な命令は、下記をさらに備える動作を、移動デバイスのプロセッサに行わせるように構成される、請求項３８記載のタンジブル・プロセッサ可読記憶媒体、
前記決定された広告コンテンツ項目の識別子を記録すること、
前記広告コンテンツ項目の前記識別子をサービスに報告すること。
【請求項４０】
前記記憶されたプロセッサ実行可能な命令は、下記をさらに備える動作を、移動デバイスのプロセッサに行わせるように構成される、請求項３８記載のタンジブル・プロセッサ可読記憶媒体、
タイム・リミットが満期になるまで、ユーザ入力のための前記プロンプトの表示に続いてユーザ入力を受け付けること、
ユーザ入力が前記タイム・リミット内に受け取られたか否かを決定すること、
ここにおいて、受け取られたユーザ入力が存在する場合その受け取られたユーザ入力に基づいて表示のための広告コンテンツ項目を決定することは、ユーザ入力が前記タイム・リミット内に受け取られなかったことが決定されるとき、デフォルト広告コンテンツ項目を選択することを備える。
【請求項４１】
前記記憶されたプロセッサ実行可能な命令は、広告コンテンツに関連した選択を入力するために前記移動デバイスのユーザのためのプロンプトを表示することが、広告コンテンツに関連した代替の選択のリストを含むユーザ・インターフェース表示を生成すること、及び提供されるユーザ入力インターフェースのうちの１つを活動化することにより、ユーザが選択された代替物を示すことを可能にするように構成されたユーザ入力インターフェースを提供することを備えることができるように、移動デバイスのプロセッサに動作を行わせるように構成される、請求項４０記載のタンジブル・プロセッサ可読記憶媒体。
【請求項４２】
前記記憶されたプロセッサ実行可能な命令は、
広告コンテンツに関連した代替の選択の前記リストが、代替の広告コンテンツ項目のリストを備え、
受け取られたユーザ入力が存在する場合に、その受け取られたユーザ入力に基づいて表示のための広告コンテンツ項目を決定することが、ユーザ入力が前記タイム・リミット内に受け取られたことが決定されるとき、受け取られたユーザ入力に対応した広告コンテンツ項目を選択することを備えることができるように、
移動デバイスのプロセッサに動作を行わせるように構成される、請求項４１記載のタンジブル・プロセッサ可読記憶媒体。
【請求項４３】
前記記憶されたプロセッサ実行可能な命令は、
広告コンテンツに関連した代替の選択の前記リストが、広告コンテンツのタイプのリストを備え、
受け取られたユーザ入力が存在する場合に、その受け取られたユーザ入力に基づいて表示のための広告コンテンツ項目を決定することが、ユーザ入力が前記タイム・リミット内に受け取られたことが決定されるとき、受け取られたユーザ入力に対応した広告コンテンツのタイプに一致したタイプの広告コンテンツ項目を選択することを備えることができるように、
移動デバイスのプロセッサに動作を行わせるように構成される、請求項４１記載のタンジブル・プロセッサ可読記憶媒体。
【請求項４４】
前記記憶されたプロセッサ実行可能な命令は、広告コンテンツに関連した代替の選択のリストを含むユーザ・インターフェース表示を生成することが、ユーザ・プリファランス設定に基づいて広告コンテンツに関連した代替の選択のリストを生成することを備えることができるように、移動デバイスのプロセッサに動作を行わせるように構成される、請求項４１記載のタンジブル・プロセッサ可読記憶媒体。
【請求項４５】
前記記憶されたプロセッサ実行可能な命令は、広告コンテンツに関連した代替の選択のリストを含むユーザ・インターフェース表示を生成することが、ユーザ人口統計学情報に基づいて広告コンテンツに関連した代替の選択のリストを生成することを備えることができるように、移動デバイスのプロセッサに動作を行わせるように構成される、請求項４１記載のタンジブル・プロセッサ可読記憶媒体。
【請求項４６】
前記記憶されたプロセッサ実行可能な命令は、
受け取られた広告コンテンツ項目は対応した重みつけ値を含み、
広告コンテンツに関連した代替の選択のリストを含むユーザ・インターフェース表示を生成することが、メモリに記憶された広告コンテンツ項目の前記対応した重みつけ値に基づいて代替の広告コンテンツ項目のリストを生成することを備えることができるように、
移動デバイスのプロセッサに動作を行わせるように構成される、請求項４１記載のタンジブル・プロセッサ可読記憶媒体。
【請求項４７】
前記記憶されたプロセッサ実行可能な命令は、下記をさらに備える動作を、移動デバイスのプロセッサに行わせるように構成される、請求項４６記載のタンジブル・プロセッサ可読記憶媒体、
前記表示された広告コンテンツ項目に対応した前記重みつけ値を調節すること。
【請求項４８】
前記記憶されたプロセッサ実行可能な命令は、
前記マルチメディア・コンテンツ・ストリーム内の広告のための挿入ポイントの前記受け取られたしるしが、代替の選択の前記リストに含めるための広告コンテンツ項目を選択することに関連したメタデータを含み、
メモリに記憶された広告コンテンツ項目の前記対応した重みつけ値に基づいて代替の広告コンテンツ項目の前記リストを生成することが、前記挿入ポイントの前記受け取られたしるしに含まれる前記メタデータ及び前記対応した重みつけ値に基づいて、代替の広告コンテンツ項目の前記リストを生成することをさらに備えることができるように、
移動デバイスのプロセッサに動作を行わせるように構成される、請求項４６記載のタンジブル・プロセッサ可読記憶媒体。
【請求項４９】
下記を備える無線通信システム、
下記を備えるマルチメディア・ブロードキャスト・ネットワーク、
マルチメディア・コンテンツ・ストリームをブロードキャストするための手段、
前記マルチメディア・コンテンツ・ストリーム内の広告の挿入ポイントのしるしを含むための手段、
広告の前記挿入ポイントに先立って複数の広告をブロードキャストするための手段、
下記を備える、ユーザ対話に基づいて広告コンテンツを表示するように構成された移動デバイス、
前記ブロードキャストされた複数の広告を受け取るための手段、
前記受け取られたブロードキャストされた複数の広告を記憶するための手段、
前記マルチメディア・コンテンツ・ストリームを受け取るための手段、
前記マルチメディア・コンテンツ・ストリーム内の広告の挿入ポイントのしるしを受け取るための手段、
マルチメディア・コンテンツ項目の表示中に広告コンテンツに関連した選択を入力するために前記移動デバイスのユーザのためのプロンプトを表示するための手段、
前記表示されたプロンプトに応答してユーザ入力を受け取るための手段、
受け取られたユーザ入力が存在する場合、その受け取られたユーザ入力に基づいて表示のための広告コンテンツ項目を、前記記憶された複数の広告の中から決定するための手段、
前記挿入ポイントから始まる前記決定された広告コンテンツ項目を表示するための手段。
【請求項５０】
下記を備える無線通信システム、
下記を備えるマルチメディア・ブロードキャスト・ネットワーク、
サーバ、
前記サーバに結合されたブロードキャスト送信機システム、
ここにおいて、前記サーバは、サーバ実行可能な命令を用いて、ブロードキャストのためにコンテンツをフォーマットし、下記を行うように前記ブロードキャスト送信機システムに命令するように構成される、
マルチメディア・コンテンツ・ストリームをブロードキャストすること、
前記マルチメディア・コンテンツ・ストリーム内の広告の挿入ポイントのしるしを含むこと、
広告の前記挿入ポイントに先立って複数の広告をブロードキャストすること、
下記を備える、ユーザ対話に基づいて広告コンテンツを表示するように構成された移動デバイス、
プロセッサ、
前記プロセッサに結合された表示装置、
前記プロセッサに結合され、マルチメディア・ブロードキャストを受け取るように構成された受信機回路、
前記プロセッサに結合されたメモリ、
ここにおいて、前記プロセッサは、プロセッサ実行可能な命令を用いて、下記を備える動作を行うように構成される、
前記受信機回路を介して前記ブロードキャストされた複数の広告を受け取ること、
前記受け取られたブロードキャストされた複数の広告を前記メモリに記憶すること、
前記受信機回路を介して前記マルチメディア・コンテンツ・ストリームを受け取ること、
前記マルチメディア・コンテンツ・ストリーム内の広告の挿入ポイントの前記しるしを受け取ること、
前記表示装置上における前記マルチメディア・コンテンツ項目の表示中に、広告コンテンツに関連した選択を入力するために前記移動デバイスのユーザのためのプロンプトを表示すること、
前記表示されたプロンプトに応答してユーザ入力を受け取ること、
受け取られたユーザ入力が存在する場合、その受け取られたユーザ入力に基づいて表示のための広告コンテンツ項目を、前記記憶された複数の広告の中から決定すること、
前記決定された広告コンテンツを前記メモリから呼び出すこと、
前記挿入ポイントから始まる前記決定された広告コンテンツ項目を、前記表示装置上に表示すること。
【発明の詳細な説明】
【技術分野】
【０００１】
本願は、ユーザ・対話に基づいてコンテンツを提供する方法及びシステムに関する。
【背景技術】
【０００２】
無線通信テクノロジーは、過去数年にわたって爆発的成長が認められる。この成長は、一般モバイル利用者へ移動の自由を提供し、また、ハードワイヤード通信システムへの束縛を断つ無線サービスによって促進されてきた。サービス向上の結果として、無線サービスの人気は急速に成長し続けることが期待される。無線通信サービスに最近追加されたものは、テレビジョン及び他のコンテンツを移動デバイスへブロードキャストする能力である。モバイル・マルチメディア・ブロードキャスト・サービスは、ユーザがＴＶプログラミングを閲覧すること、及びモバイル・ブロードキャスト送信を受信するように構成された彼らのセルフォンまたは他の無線移動デバイスを使用して、ニュース、娯楽、スポーツ、商取引、及び他のプログラミングのモバイル・エディションを受信することを可能にする。
【発明の概要】
【０００３】
種々の実施形態は、モバイル・マルチメディア・ブロードキャスタが、移動デバイス閲覧者がタイプ、主題、広告主または他のカテゴリーに基づいて閲覧するために広告を選択することを可能にするブロードキャスト・プログラム内に広告コンテンツを提供することを可能にする。移動デバイスは、ビデオ、テレビジョン・プログラム、または他のマルチメディア・コンテンツのようなコンテンツ項目の表示中に、広告項目を挿入するために示されるポイントに到達することができる。複数の広告コンテンツ項目は、事前あるいはコンテンツ項目のブロードキャスト中のいずれかに、ブロードキャスト・システムによって移動デバイスへブロードキャストされ得る。事前にブロードキャストされた広告コンテンツは、その挿入時間までメモリにキャッシュされ得る。移動デバイスは広告タイプの代替物のメニューを表示し、一つを選択するようにユーザを促すことができる。移動デバイスは、ユーザの入力または入力の欠如に基づいて複数の広告コンテンツ項目のいずれを表示すべきかを決定することができる。さらなる実施形態においては、移動デバイスは選択されてユーザへ表示された広告コンテンツを記録し、ブロードキャスタ、コンテンツ・プロバイダ、あるいは他のサービスへこの情報を報告する。さらなる実施形態においては、重みつけ値は広告コンテンツ項目へ割当てられ、いずれのコンテンツ項目が代替物の表示されたメニューでの選択のためにユーザに提示されるかを決定するために移動デバイスにより使用されることができる。
【０００４】
種々の実施形態は、移動デバイス内で行われる方法として、その実施形態の方法を行うように構成された移動デバイスとして、及び移動デバイスのプロセッサにその実施形態の方法を行わせるプロセッサ実行可能な命令を含むタンジブル(tangible)記憶媒体としてインプリメントされ得る。
【図面の簡単な説明】
【０００５】
【図１】図１は、ブロードキャスト・プログラミングを移動デバイスへ提供する通信システムの一例を示す通信システムのブロック図である。
【図２】図２は、一実施形態での使用に適した移動デバイスのコンポーネント・ブロック図である。
【図３Ａ】図３Ａは、一実施形態のインプリメンテーション中に移動デバイスの表示装置上に提示される画像の例証である。
【図３Ｂ】図３Ｂは、一実施形態のインプリメンテーション中に移動デバイスの表示装置上に提示される画像の例証である。
【図３Ｃ】図３Ｃは、一実施形態のインプリメンテーション中に移動デバイスの表示装置上に提示される画像の例証である。
【図４】図４は、ユーザ・対話に基づいて広告コンテンツを表示する一実施形態の方法のプロセス・フロー図である。
【図５】図５は、ユーザ・対話に基づいて広告コンテンツを表示し、このような対話を利害関係者へ報告する一実施形態の方法のプロセス・フロー図である。
【図６】図６は、コンテンツに関連する重みつけ値及びユーザ・対話に基づいて広告コンテンツを表示する一実施形態の方法のプロセス・フロー図である。
【発明を実施するための形態】
【０００６】
ここにおいて組み込まれ、本願明細書の一部をなす添付図面は、上記に与えられた一般的な説明及び下記に与えられる詳細な説明と共に発明の典型的な実施形態を示し、発明の特徴を説明するのに役立つ。
【０００７】
添付図面を参照して、種々の実施形態を詳細に説明する。可能な場合は常に、同じまたは類似の部分を示すために同じ参照番号を図面中で使用する。特定の例及びインプリメンテーションへの参照は例証のためであり、発明または請求項の技術的範囲を制限するものではない。
【０００８】
「典型的」という単語は、ここでは、「例、実例、あるいは例証として役に立つこと」を意味するために使用される。「典型的」としてここに記載された任意の態様は、必ずしも他の実施態様より好ましい、あるいは有利と解釈されるとは限らない。
【０００９】
ここで使用されるように、「移動デバイス」及び「受信機デバイス」という用語は、プログラマブル・プロセッサ、メモリ、及び無線通信受信機またはトランシーバ回路を含み得るセルラー式電話機、携帯情報端末（「ＰＤＡ」）、パーム・トップ・コンピュータ、無線電子メール受信機（例えば、Ｂｌａｃｋｂｅｒｒｙ（登録商標）及びＴｒｅｏ（登録商標）デバイス）、マルチメディア・インターネット使用可能セルラー式電話機（例えば、Ｂｌａｃｋｂｅｒｒｙ Ｓｔｏｒｍ（登録商標））、全地球測位システム（ＧＰＳ）受信機、無線ゲーミング・コントローラ、インタラクティブ・ゲーミング・デバイス、ポータブル・テレビジョン・デバイス（例えば、ＦＬＯ ＴＶ（登録商標）デバイス）、及び類似のパーソナル電子デバイスのうちの任意の一つまたはすべてを指す。
【００１０】
ここで使用されるように、「マルチメディア・コンテンツ」という用語は、一般に、テキスト、オーディオ、静止画像、及びビデオを含む媒体の電子的に配信される組合せを示す。マルチメディア・コンテンツはまた、音楽、ビデオ、及び動画に関する場合のように、ユーザに電子的に提示されることのできる単数の媒体を示すことができる。マルチメディア・コンテンツは、例えば、ＱＵＩＣＫＴＩＭＥ、ＭＰＥＧ ２、ＭＰＥＧ ４、ＡＶＩ等を含む種々のストリーミング・ファイル・タイプの任意のものを備えることができる（しかし、それに制限されない）。マルチメディア・コンテンツは、ブロードキャスト、ユニキャスト、及びマルチキャストを含む、種々の方法論を用いて流されることができる。ここで使用されるように、「コンテンツ項目」という用語はブロードキャストされるファイルまたは他のデータ項目であって、マルチメディア・コンテンツを含む、移動デバイスのメモリ内に記憶され得るものを指す。「広告項目」及び「広告コンテンツ項目」は、移動デバイス上に表示される広告を伝達するために使用される「コンテンツ項目」のタイプを示す。
【００１１】
種々の実施形態は、ユーザ選択に応じて移動デバイス上に広告項目を表示するためのシステム及び方法を提供する。いくつかの広告項目は、他のコンテンツ項目のブロードキャスト中にあるいは事前に、ブロードキャスト・システムによって移動デバイスに利用可能なものにされることができる。移動デバイスは、ビデオまたは他のマルチメディア・コンテンツのようなコンテンツ項目の表示中に、広告項目を挿入するために示されるポイントに到達する。この挿入ポイントまたは時間は、ブロードキャスト・コンテンツ・ストリーム内のしるし(indicia)またはインジケータにより識別され得る。この挿入ポイントまたは時間の前に、移動デバイスは広告コンテンツに関連した代替物（例えば、広告の代替のタイプまたは代替の広告）のリストを表示し、一つを選択するようにユーザを促す。移動デバイスは受信されたユーザ入力または入力の欠如に基づいて表示すべき広告コンテンツ項目を決定する。さらなる実施形態においては、移動デバイスは表示された広告項目をディストリビュータ、コンテンツ・プロバイダ、第三者のサービス・プロバイダ、または他のサービスへ報告する。さらなる実施形態においては、ユーザに提示されるべき代替の広告項目の選択は、各広告項目に関連する重みつけ値に基づいてなされる。
【００１２】
図１は、マルチメディア・コンテンツを１または複数のコンテンツ・プロバイダ１１２から配信システム１１０を介して移動デバイス１０２へブロードキャストする例示的なシステム１００を示すブロック図である。種々の実施形態において、広告コンテンツ項目は、それらが移動デバイス１０２のユーザとの対話に基づいてブロードキャスト・プログラム内に適時選択的に表示され得る移動デバイス１０２へブロードキャストされる。例えば、このシステム１００は、マルチメディア・コンテンツのブロードキャスト・ストリーム内で適時、及び移動デバイス１０２のメモリ（例えば、ａｄ記憶装置１３４）中への記憶のためにあらかじめ、複数の異なる広告コンテンツをブロードキャストし、マルチメディア・コンテンツのブロードキャスト・ストリーム中の挿入時間に複数の記憶された広告項目のうちの一つを挿入するように移動デバイス１０２に命令することができる。移動デバイス１０２は、提示して選択を行うようにユーザを促すために利用可能な広告コンテンツの代替の広告項目またはタイプの表示メニューを生成することができる。広告項目のそれぞれのグラフィカル・インジケータは、ユーザが広告コンテンツの広告項目またはタイプのうちの一つを選択するためのインターフェース（例えば、適切なメニュー選択キーの指示またはアイコン）と共に、メニュー表示中に含まれることができる。移動デバイス１０２は、存在する場合にユーザ入力を受信し、広告コンテンツの選択されたタイプに対応する広告項目または選択された広告項目を表示のために再び呼び出すことができる。ユーザが選択を行わない場合、デフォルト広告項目が再び呼び出され、移動デバイス上に表示されることができる。
【００１３】
図１を再び参照すると、配信システム１１０は、コンテンツ・プロバイダ１１２からマルチメディア・コンテンツを備えるデータのストリームを受信し、第１の通信リンク１０８を介してそのマルチメディア・コンテンツを１または複数の移動デバイス１０２へ送信することができる。図１は、コンテンツ・プロバイダ１１２がコンテンツを、配信システム１１０を通って移動デバイス１０２へ送信する一つの態様を示す。しかしながら、コンテンツ・プロバイダ１１２は、例えば、第１の通信リンク１０８を使用して、配信システム１１０をバイパスして、そのコンテンツを移動デバイス １０２へ直接的に通信することができる（図１には示されていない）。他の態様において、複数のコンテンツ・プロバイダ１１２は、マルチメディア・コンテンツを複数の配信システム１１０を介して移動デバイス １０２へ提供することができる。
【００１４】
図１に示された例において、第１の通信リンク１０８は、移動ブロードキャスト・システムにより提供され得る順方向リンク・オンリー（forward link only:ＦＬＯ）無線ブロードキャストである。モバイル・マルチメディア・ブロードキャスト・システムの例には、オープン・モバイル・アライアンス・モバイル・ブロードキャスト・サービス・イネーブラ・スーツ（Open Mobile Alliance Mobile Broadcast Services Enabler Suite：ＯＭＡ ＢＣＡＳＴ）、ＭｅｄｉａＦＬＯ（登録商標）、デジタル・ビデオ・ブロードキャストＩＰデータ・キャスティング（ＤＶＢ―ＩＰＤＣ）、ＤＶＢ―Ｈ、及び中国マルチメディア・モバイル・ブロードキャスティング（ＣＭＭＢ）が含まれる。しかしながら、ここに記載されている態様は、請求項中に具体的に記載されない限り、順方向リンク・オンリー無線ブロードキャストに制限されず、直交周波数分割多元接続（ＯＦＤＭＡ）通信システム、ＩＥＥＥ ８０２．１１ システム、高データ・レート（１ｘＥＶ−ＤＯまたは１ｘＥＶ−ＤＯ ゴールド・マルチキャスト）システム、広帯域符号分割多元接続（ＷＣＤＭＡ）システム、ＴＥＴＲＡ(Terrestrial Trunked Radio) 移動電話システム、ＧＳＭ（登録商標）／ＧＰＲＳ（General Packet Radio Service)／ＥＤＧＥ（enhanced data GSM environment）のような時分割多元接続（ＴＤＭＡ）システム、周波数分割多元接続（ＦＤＭＡ）システム、符号分割多元接続（ＣＤＭＡまたはＣＤＭＡ２０００）通信システムのうちの１または複数を備える無線システム、及び／または、光ファイバ・システム、電力線、ケーブル、電話（例えば、ＰＯＴＳ）、及びイーサネット（登録商標）を含む、種々の送信テクノロジー及び技術を使用することができる。
【００１５】
配信システム１１０はまた、第２の通信リンク１０６上で通信するように構成される。図１に示されている例においては、第２の通信リンク１０６は、両方向無線電気通信リンクである。この態様において、第２の通信リンク１０６は、複数の移動デバイス１０２を含む様々なデバイス間で音声トラヒック及び／またはデータ・トラヒックを通信するように構成される。通信リンク１０６はまた、配信システム１１０と移動デバイス１０２との間で送信スケジュール及び他のデータを通信することができる。ここに記載されている態様により使用される第２の通信リンク１０６は、両方向無線電気通信リンクに、あるいは任意の特定の電気通信テクノロジーにさえ制限されない。これに関して、第２の通信リンク１０６は、直交周波数分割多元接続（ＯＦＤＭＡ）システム、ＩＥＥＥ ８０２．１１ システム、高データ・レート（１ｘＥＶ−ＤＯまたは１ｘＥＶ−ＤＯ ゴールド・マルチキャスト）システム、広帯域符号分割多元接続（ＷＣＤＭＡ）システム、ＴＥＴＲＡ(Terrestrial Trunked Radio) 移動電話システム、ＧＳＭ／ＧＰＲＳ（General Packet Radio Service)／ＥＤＧＥ（enhanced data GSM environment）のような時分割多元接続（ＴＤＭＡ）システム、周波数分割多元接続（ＦＤＭＡ）システム、符号分割多元接続（ＣＤＭＡまたはＣＤＭＡ２０００）通信システムのうちの１または複数を備える無線システム、及び／または光ファイバ・システム、電力線、ケーブル、電話（例えば、ＰＯＴＳ）、及びイーサネットのうちの１または複数を含む１または複数の配線式及び／または無線リンクを備えることができる。
【００１６】
配信システム１１０はまた、プログラム・ガイド・サービス１２６を含むことができる。このプログラム・ガイド・サービス１２６は、コンテンツ・プロバイダ １１２ 及び／または他のソースからプログラミング・スケジュール及びコンテンツ関連データを受信し、電子プログラミング・ガイド（ＥＰＧ）１２４を規定するデータを移動デバイス１０２へ通信する。ＥＰＧ １２４は、通信リンク１０８上で受信されるために利用可能な特定のコンテンツ項目の複数のブロードキャストのブロードキャスト・スケジュールに関連するデータを含むことができる。ＥＰＧデータは、アダルト向けのコンテンツレーティング、品質レーティング、プログラムのカテゴリー分類（例えば、スポーツ、映画、コメディ等）、コンテンツが受信されることのできる特定のブロードキャスト、チャネルまたはフローＩＤの開始及び終了時間、コンテンツ項目のタイトル等を含むことができる。ＥＰＧ １２４は、第１の通信リンク１０８または第２の通信リンク１０６のいずれか上で移動デバイス１０２へ通信され、移動デバイス１０２上に記憶されることができる。
【００１７】
移動デバイス １０２はまた、コンテンツ項目通信リンク１０８上で受信されたマルチメディア・コンテンツ項目をレンダリングするように構成されたレンダリング・モジュール１２２を含むことかできる。レンダリング・モジュール１２２は、ＭＰＥＧ−ｘ及びＨ.２６ｘ規格のような国際規格に基づくデコーディング方法を使用する、ビデオ・デコーダのような１または複数のマルチメディア信号処理システムを含むことができる。このようなデコーディング方法は一般に、メモリ及び通信リンク１０８から受信されたマルチメディア・データを圧縮解除すること(decompressing)に向けられる。
【００１８】
配信システム１１０はまた、マルチメディア・コンテンツのストリーム内に広告項目を表示するための挿入ポイントまたは時間、及び、場合によっては、関連するコンテンツ項目の識別を示す、メタデータまたはデータを備える、しるしを生成する挿入データ・サービス１３０を含むことができる。挿入ポイントまたは時間は、マルチメディア・コンテンツ（例えば、オーディオまたはビデオトラックに基づいて計算された指紋）等に基づいて計算されるあるいはその中に見出されるデータ・パターン、フレーム数または識別子として（すなわち、コンテンツ項目の特定のフレームまたは部分を示すデータを使用して）、絶対時間（すなわち、時刻）として、コンテンツ項目内のオフセット時間のような、種々のフォーマットで表現されることができる。関連したコンテンツ項目の識別は、例えば、ファイル名及び位置等、直接的であることができる。例えば、識別は、（直接的な識別を表す)表示されるコンテンツ項目の記憶位置へのポインタ（例えば、統一資源ロケータ（ＵＲＬ））を備えることができる。記憶位置は、完全に分離したサーバ（示されていない）上の、あるいはコンテンツ・プロバイダ１１２、配信システム１１０、移動デバイス１０２上のメモリ内の位置であり得る。その代わり、識別は間接的であり、選択されるコンテンツ項目のタイプまたはジャンルに関するプリファランスを示すことができる。間接的な識別の場合においては、別のサービスは直接的な識別を提供することができる。この別のサービスは移動デバイス１０２、配信システム１１０、コンテンツ・プロバイダ １１２上に、あるいは完全に分離したサーバ（示されていない）上に存在し得る。間接的な識別はコンテンツ項目を動的に提供するサーバへのポインタ（例えば、ＵＲＬ）を備えることができる。この点で、ユーザが広告コンテンツ項目の選択を行うのを支援し得る情報を提供するために、カテゴリーのような１または複数のパラメータが、しるしと共に含まれることができる。しるしは第１または第２の通信リンク１０８、１０６を介して移動デバイス１０２へ送信されることができる。
【００１９】
広告コンテンツ項目は、ａｄ記憶装置１３４中の移動デバイス１０２上のメモリに記憶されることができ、ａｄサービス・アプリケーション１３２によって維持され、あるいは管理され得る。ａｄサービス・アプリケーション１３２は広告項目を受け取り、それら広告項目をａｄ記憶装置１３４に記憶し、挿入データ・サービス１３０によって識別される挿入ポイントに最も近い提示のために、それら広告項目へのアクセスを提供することができる。ａｄサービス１３２はまた、挿入データ・サービス１３０から受け取られるしるしに基づいてマルチメディア・コンテンツ・ストリーム中の挿入ポイントまたは時間を識別することができる。マルチメディア・コンテンツ・ストリーム内の挿入ポイントで、あるいはそれより前に、ａｄサービス１３２は、識別された広告コンテンツ項目が、あるいはそれらのうちのいずれのものが、ａｄ記憶装置１３４に記憶され、あるいは、そうでなければ利用可能であるか否かを決定することができる。挿入ポイントに到達したとき、及び広告項目が利用可能である場合、ユーザへの提示のために広告コンテンツの広告項目またはタイプのうちの少なくとも１つをそのユーザが選択することを可能にするために、ユーザ・インターフェースが表示されることができる。ａｄサービス１３２はこのユーザ・インターフェース表示を生成するように構成されることができる。その代わりに、ユーザ・インターフェース表示を生成する命令は、ａｄ記憶装置１３４に記憶された広告コンテンツ・データに含まれ得る。また、広告コンテンツに関連したメタデータは、ユーザ・インターフェース表示の一部として表示されるサムネイル画像、ユーザ・プロンプト・フレーズ、広告タイトル、及び広告カテゴリー・フレーズのような、広告項目の選択に関してユーザがどのようにして促されるかを指定することができる。
【００２０】
移動デバイス内のａｄサービス１３２は、配信システム１１０内のａｄデータ・サービス１２８から広告コンテンツ項目（あるいは、提示のための他のコンテンツ項目）を受け取ることができる。移動デバイス内のａｄサービス１３２は、広告主のプリファランスまたはブロードキャスタの決定に基づいてユーザ・インターフェース表示中に含まれる広告コンテンツ項目を選択し、定義済スケジュールにしたがってこのような広告コンテンツをブロードキャストするように構成されることができる。１または少数の移動デバイスにナローキャストすることができる別の実施形態の適切な通信システムにおいては、ａｄサービス１３２は、そのデバイスのユーザに関する情報等に基づいてユーザ・インターフェース表示中に含まれる広告コンテンツのタイプまたは広告コンテンツ項目を選択するように構成されることができる。例えば、ａｄサービス１３２は、移動デバイス１０２のユーザに関する情報を含む任意の数のパラメータに基づいてユーザ・インターフェース表示中に含まれるコンテンツの広告項目タイプを選択するために移動デバイスのメモリ内のプロファイル・データベース（示されていない）を含むか、あるいはそれと通信することができる。例えば、コンテンツ項目は、ユーザ・プリファランス、ユーザ人口統計学情報、あるいはその移動デバイスのそのユーザに関連した他のデータに基づいて選択されることができる。ａｄ記憶装置１３４のメモリの部分に記憶された広告コンテンツに関連したメタデータは、特定の広告項目が、年齢範囲、性別、デバイス使用パターン（例えば、そのユーザはテクスティング(texting)、電子メール、あるいはインターネット・ブラウザのヘビーユーザであるか否か）等のような特定の人口統計学パラメータに適する程度を識別することができる。その後、ａｄデータ・サービス１３２は移動デバイス１０２の１または複数のユーザの人口統計学データに基づいてユーザ・インターフェース表示中に含める広告コンテンツの広告項目またはタイプを選択することができる。
【００２１】
表１は、一実施形態による特定の広告コンテンツと共に含まれ得るメタデータの一例を示す。  
【表１】
2013516914.tif 000003
【００２２】
表１に示される例示的なデータ構造において、挿入ポイント・フィールドは、広告項目がマルチメディアコンテンツストリームにおいて挿入され得る時間あるいは場所を指定することができる。各レコードは、複数の挿入ポイント・フィールドを含むことができ、その任意のマルチメディア・コンテンツはそれに関連した１または複数のレコードを有することができる。ユーザ・インターフェース表示の中に含めるために、あるいはマルチメディア・コンテンツ・ストリームにおける挿入のために特定の広告項目を選択するためにａｄデータ・サービス１３２により使用されることのできる種々のフィールドが示されている。メタデータは、１または複数のＵＲＬあるいは広告コンテンツの記憶位置を識別する他のメモリ・アドレス・データを含むことができる。表１に示される例示的な実施形態においては、広告コンテンツ項目はコンテンツ＿１およびコンテンツ＿２フィールドで定義され得る。対応したインジケータ・データは、コンテンツ＿項目＿１＿インジケータ及びコンテンツ＿項目＿２＿インジケータ・フィールドで定義され得る。プロンプト＿データ・フィールドは、ユーザ・インターフェース表示中に含めるためにプロンプト・データ（例えば、テキスト及び／またはグラフィックス）が記憶され得る記憶位置を定義するか、あるいは、この例では、指すために使用されることができる。プロンプト・データは、アイデンティティ、構成、あるいはそのプロンプトに関連した他のコンテンツを含むことができる。ＵＲＬに加えて、あるいはその代りに、メタデータは、メモリＵＲＬを指定する代わりに、メタデータ内に直接的にプロンプト・テキスト・ストリングを含むことができる。
【００２３】
上述のように、ａｄサービス１３２は、ａｄ記憶装置１３４中に広告項目を維持するように構成されることができる。例えば、配信システム１１０のａｄデータ・サービス１２８は、ａｄサービス１３２がコンテンツを提供する特定の送信ストリームを介して、サブチャネルにおいて、あるいは、他のブロードキャスト・コンテンツの間においてのように、（例えば、通信リンク１０８を介して）、複数の広告項目をブロードキャストすることができる。広告コンテンツ項目は、移動デバイス１０２により受け取られると、別の広告コンテンツ項目のためにスペースが要求されるまで、あるいは広告項目が満期になるまで、ａｄ記憶装置１３４中に記憶されることができる。広告項目は、広告メタデータ内に含まれた、あるいは広告項目と共に受け取られた満了時間データ、ユーザ・プリファランス設定、または定義済ポリシーに基づいて満期になり（、そしてａｄ記憶装置１３４から削除される）ことができる。ａｄ記憶装置１３４は、満期になった広告項目を周期的に削除する機能を含み得る。
【００２４】
ａｄ記憶装置１３４のコンテンツは、ユーザ・プロファイル・データベース中に記憶された情報のような、移動デバイスのユーザに関する情報に基づいて維持されることができる。例えば、ａｄ記憶装置１３４の記憶空間は、ユーザ・プロファイル・データに基づいて決定された広告項目がａｄ記憶装置１３４中に優先的に維持され得るように管理されることができる。
【００２５】
図２は、図１の一例の移動デバイス１０２のブロック図である。移動デバイス１０２は、受信機回路２２４を介して通信リンク１０８上で通信するネットワーク・インターフェース２０８及びメモリ２０４と通信しているプロセッサ２０２を含む。ネットワーク・インターフェース２０８及び受信機回路２２４は、無線通信信号を受信するためにアンテナ（示されていない）に結合されることができる。図１及び図２に示されている例において、通信リンク１０８は順方向リンクのみの通信リンクであり、その場合ネットワーク・インターフェース２０８は、ＭｅｄｉａＦＬＯシステムのような、順方向リンク・オンリー・ブロードキャスタからの信号を受信し、復号するように構成された無線受信機回路２２４を含む。しかしながら、上述のように、いくつかの実施形態においては、ネットワーク・インターフェース２０８及び受信機２２４は、他の有線式及び無線通信テクノロジーにしたがって信号を受信するようにセットアップ（provision）されることができる。受信機回路２２４が構成されることができる有線式テクノロジーの例は、イーサネット、電話（例えば、ＰＯＴＳ）、ケーブル、電力線、及び光フアイバ・システムを含む。適切な無線テクノロジーの例は、直交周波数分割多元接続（ＯＦＤＭ）システム、ＩＥＥＥ ８０２．１１ システム、高データ・レート（１ｘＥＶ−ＤＯまたは１ｘＥＶ−ＤＯ ゴールド・マルチキャスト）システム、広帯域符号分割多元接続（ＷＣＤＭＡ）システム、ＴＥＴＲＡ(Terrestrial Trunked Radio) 移動電話システム、ＧＳＭ／ＧＰＲＳ（General Packet Radio Service)／ＥＤＧＥ（enhanced data GSM environment）のような時分割多元接続（ＴＤＭＡ）システム、周波数分割多元接続（ＦＤＭＡ）システム、符号分割多元接続（ＣＤＭＡまたはＣＤＭＡ２０００）通信システムを含む。随意に、第１のネットワーク・インターフェース２０８はまた、プロセッサ２０２の処理要件を減少させ得る処理能力（例えば、モデム・プロセッサ）を含むことができる。
【００２６】
移動デバイス１０２は第２通信リンク１０６を介して通信するための第２のネットワーク・インターフェース２０６を含むことができ、それは図１に示されている両方向通信リンクであるとして示されている。第２のネットワーク・インターフェース２０６は、移動デバイス１０２が第２通信リンク１０６上で１または複数のデバイスと通信することができるように、アンテナ（示されていない）、受信機２２０、及び送信機２２２を含むことができる。随意に、第２のネットワーク・インターフェース２０６はまた、プロセッサ２０２の処理要件を減少させ得る処理能力を（例えば、モデム・プロセッサ）を含むことができる。
【００２７】
種々の実施形態による使用に適した典型的な移動デバイス１０２は、共通に、図２に示されているコンポーネントを有する。例えば、典型的な移動デバイス１０２は、スピーカ２１４、ネットワーク・インターフェース２０６及び２０８、表示装置２１０、並びに内部メモリ２０４に結合されたプロセッサ２０２を含むことができる。典型的に移動デバイス１０２はまた、音響を聴取するためのマイクロホン２１６、（例えば、ユーザ・インターフェース表示に応答して）ユーザ入力２１２を受け取るためのロッカー・スイッチまたはメニュー選択ボタン及びミニチュア・キーボードまたはキーパッドを含む。移動デバイス１０２は、デバイス１０２の１または複数のコンポーネントに電力を供給するために電池２３１を随意に含むことができる。
【００２８】
プロセッサ２０２は、ここに記載の種々の実施形態の機能を含む、種々の機能を行うようにソフトウェア命令（アプリケーション）により構成されることができる任意のプログラム可能なマイクロプロセッサ、マイクロコンピュータまたは１または複数のマルチプル・プロセッサ・チップであり得る。いくつかの移動デバイスにおいて、複数の無線通信機能に専用の１つのプロセッサ及び実行中の他のアプリケーションに専用の１つのプロセッサのように、複数のプロセッサ２０２が提供され得る。典型的に、ソフトウェア・アプリケーションは、それらがアクセスされ、プロセッサ２０２へロードされる前に、内部メモリ２０４に記憶されることができる。いくつかの移動デバイスにおいて、プロセッサ２０２はアプリケーション・ソフトウェア命令を記憶するのに十分な内部メモリを含むことができる。多くの移動デバイス１０２においては、内部メモリ２０４は、フラッシュ・メモリのような揮発性または不揮発性メモリ、あるいはその両者の組合せであることができる。この説明のために、メモリへの一般的な言及は、内部メモリ２０４、移動デバイス１０２中に差し込まれた取り出し可能なメモリ、及びプロセッサ２０２自身の内部のメモリを含む、プロセッサ２０２によりアクセス可能なすべてのメモリを指す。
【００２９】
移動デバイス１０２は、図２を参照して上述されたコンポーネントと機能との任意の適切な組合せを使用してインプリメントされることができる。例えば、移動デバイス１０２は１または複数の集積回路を備えることができ、したがって、集積回路は、図２に示されたプロセッサ２０２機能を提供する１または複数のプロセッサを備えることができる。集積回路はまた、示されたプロセッサ・コンポーネントの機能のうちの一部またはすべてをインプリメントするコンポーネントの他のタイプを備えることができる。さらに、１または複数のプロセッサは、示されたプロセッサ・コンポーネントの機能をインプリメントすることができる。
【００３０】
図３Ａ−３Ｃは、ユーザ・インターフェース表示を提示し、ユーザ入力を受け取る過程で移動デバイスの表示装置上に現れ得る画像を示す。とくに、図３Ａ−３Ｃは、移動デバイス１０２の表示装置２１０上に提示された例示的なユーザ・インターフェース３００を示すスクリーン・ショットの進行を示す。
【００３１】
図３Ａは、移動デバイスが第１のコンテンツ項目３０２に同調されるときに提示され得る表示、すなわち、ドッグ・ショウを示す。画像の第１のコンテンツストリームの表示中、コンテンツ項目における挿入ポイントのしるしは、移動デバイスにより受け取られ、ユーザ・インターフェース表示がいつ提示されるべきかを示すものとして認識されることができる。広告コンテンツ項目はまた、第１のコンテンツ項目３０２の受け取り中に背景において受け取られ、ａｄ記憶装置１３４に記憶されることができる。
【００３２】
図３Ｂは、広告挿入ポイントの直前に生成されることのできるユーザ・インターフェース表示３０６を示す。示されているように、ユーザ・インターフェース表示は、広告コンテンツのリストされた広告項目あるいはタイプのいずれをユーザが閲覧したいかを、ユーザ入力で示すように移動デバイスのユーザを促すことができる。ユーザ・インターフェース・コントロール３０６は、広告コンテンツの広告項目またはタイプの表示されたグラフィカル・インジケータ、並びに選択ボタン識別子、選択アイコン、現在の選択の強調のような、他のユーザ・インターフェース要素と共に、プロンプトを備えることができる。例えば、図３Ｂは、広告コンテンツの３つのタイプ、すなわち、自動車広告、ソフトドリンク広告、及び食品広告の中の選択肢をユーザに提供するユーザ・インターフェース表示を示す。
【００３３】
ユーザ・インターフェース表示３０６を生成することにおいて使用されるグラフィカル・インジケータは、テキスト、ピクチャ、図画、動画またはビデオコンテンツ、音響、任意の他の適切なインジケータ、あるいはその組合せを含み得る。ユーザ・インターフェース・コントロール３０６のグラフィカル・インジケータ、サイズ、位置、及び他の表示属性は予め定められることができ、あるいは広告コンテンツに関連したメタデータによって、あるいは挿入ポイントのしるしによって指定されることができる。ユーザ・インターフェース表示３０６を表示するためのパラメータは、ユーザ・プリファランス設定に基づいて事前に定義されるか、あるいは挿入ポイントに関連したメタデータによって識別されることができる。例えば、このようなメタデータは、ユーザ・インターフェース３０６が表示される時間の期間（すなわち、デフォルト項目がインプリメントされる前に、ユーザが選択を入力するためにどのくらい与えられるか）を指定することができる。
【００３４】
一実施形態においては、指定された時間期間内で広告項目を選択するためのユーザ入力が１つも受け取られない場合、移動デバイス１０２は、提示のためにデフォルト広告項目を選択するように構成されることができる。デフォルト広告項目は事前に定義されるか、あるいは挿入ポイントのしるしに関連したメタデータによって指定されることができる。一つの態様においては、デフォルト広告項目は広告項目の各持続期間に基づいて選択されることができる。例えば、デフォルト広告項目は、最も長いまたはもっとも短い持続期間を有する記憶された広告コンテンツ項目のうちの一つであることができる。
【００３５】
図３Ｃは、ユーザ・インターフェース３０６に応答して入力された自動車広告を選択するユーザ入力に後続する自動車ａｄ３０８の表示を示す。ａｄ提示３０８の完了と同時に、デバイス１０２は、同じまたは別の挿入ポイントを示すさらなるメタデータに基づく別のコンテンツ項目、あるいはブロードキャスト・コンテンツ項目のいずれかの、他のコンテンツ項目を自動的に提示することができる。
【００３６】
図４は、ユーザ・インターフェース表示に応答して入力されたユーザ選択に基づいてマルチメディア・コンテンツ・ストリーム内に広告コンテンツを表示するために移動デバイス内でインプリメントされることのできる典型的な実施形態の方法４００を示す。方法４００の工程４０３において、移動デバイスはブロードキャスト・システムからマルチメディア・コンテンツ・ストリームを受け取る。コンテンツ・ストリームの受け取り及び表示中に、移動デバイスは、工程４０６で挿入ポイントのしるしを受け取ることができる。コンテンツ・ストリームの受け取り前またはその期間中に、移動デバイスはまた工程４０６で複数の広告コンテンツ項目を受け取ることができる。広告項目が受け取られると、それらは工程４０９で移動デバイス上のメモリに記憶されることができる。挿入ポイントより前の時間に（例えば、工程４０６において受け取られるしるしの中で指定された時間に）、移動デバイスは工程４１２で広告コンテンツの代替の広告項目またはタイプのリストを生成することができる。代替物のこのリストはユーザ・インターフェース表示中のコンテンツを備えることができ、ユーザ人口統計学データ、挿入ポイントのしるしと共に送られたデータまたはメタデータ、以前識別された項目、移動デバイス上に現在記憶されている広告項目、及びこれらのファクタの組合せ、並びに他のものに基づいて決定されることができる。
【００３７】
工程４１５において、挿入ポイントより前の時間に（すなわち、広告項目が始まるべきときに挿入ポイントのしるしの中で指定される時間の前に）、移動デバイスは広告項目代替物の決定されたリストに基づいてユーザ・インターフェース表示を生成することができる。このユーザ・インターフェース表示は、図３Ｂを参照して上述されたグラフィカル・インジケータのうちの任意のものを含むことができる。入力は、選択された代替物を示すためにアイコンまたはボタンを押すことをユーザに求めるテキストのような、入力用のユーザ・プロンプトを含むことができ、移動デバイスは、工程 ４１８において、タイム・リミットの持続期間のあいだユーザ入力を受け付ける(accept)ために待機することができる。このタイム・リミットは、工場またはユーザ・プリファランス設定の形態でのように、移動デバイスにおいて事前に定義されることができ、あるいは配信システム、コンテンツ・プロバイダ、広告主、または他のサービスによって定義されることのできる挿入ポイントのしるしまたは広告コンテンツ項目の中のメタデータにより指定されることができ、ユーザが促されるたびに変更することができる。
【００３８】
ユーザ入力の受け取りと同時に、あるいはタイム・リミットの終わりに、移動デバイスは、決定工程４２１において、ユーザ選択入力が受け取られたか否かを決定することができる。ユーザ選択が受け取られたことを移動デバイスが決定する（すなわち、決定工程４２１＝「イエス」の）場合、移動デバイスは、工程４２７において、選択された広告項目またはユーザによって選択された広告タイプに一致した広告項目をメモリから呼び出し、そのコンテンツを表示し始めることができる。ユーザ選択が受け取られなかったことを、移動デバイスが決定する（すなわち、決定工程４２１＝「ノー」である）場合、移動デバイスは、工程４２４において、デフォルト広告項目を呼び出し、表示し始めることができる。デフォルト広告項目はメモリに記憶されたコンテンツ項目であり得る。一つの代替の実施形態において、デフォルト広告はブロードキャスト・コンテンツ・ストリーム内のＡＤであることができ、その場合、工程４２４は移動デバイスによるさらなるアクションを要求しないことができる。選択された、あるいはデフォルト広告項目が表示された後、移動デバイスは、工程４３０のマルチメディア・コンテンツ・ストリームを表示することへ戻ることができる。
【００３９】
図５は、ユーザ選択の結果をブロードキャスタまたは別の団体へ報告しながらユーザ選択に基づいてマルチメディア・コンテンツ・ストリーム内で広告コンテンツを表示するように移動デバイス内でインプリメントされることのできる第２の典型的な実施形態の方法５００を示す。ブロードキャスタまたはコンテンツ・プロバイダは、閲覧されたコンテンツに基づく予測ではなく実際に閲覧されたａｄに基づいて広告主に請求することができるため、実際に閲覧された広告のこのような報告は経済的に価値のあるものであり得る。
【００４０】
図５に示されている実施形態の方法５００は、閲覧された広告の記録及び報告に関連した追加の工程５２８及び５３０に加えて図４を参照して上述された実施形態の方法４００と同じ工程を含む。特定の広告がユーザ選択または選択の欠如（すなわち、デフォルトａｄの選択）に基づく表示のために選択された後、移動デバイスは表示された広告の識別子（ＩＤ）を記録することができる。このような広告ＩＤは、ブロードキャスタまたはコンテンツ・プロバイダがその特定の広告と互いに関係づけることのできる識別子の任意のタイプのものであることができる。広告ＩＤは、移動デバイスがユーザにより閲覧されたコンテンツを追うことができる類似したやり方及びフォーマットでメモリに記憶されることができる。例えば、ＭｅｄｉａＦＬＯブロードキャスト・システムにおいては、移動デバイスは閲覧するために選択されたコンテンツ・フローのＩＤを追い、ブロードキャスタへ（例えば、図１を参照して上述された第２の通信リンク１０６を介して）この情報を周期的に報告する。したがって、閲覧された広告のＩＤを記録するように移動デバイスを単に構成することによりユーザによって選択及び閲覧される広告を追跡及び報告するために使用されることができる閲覧者(viewer)報告メカニズムは、使用され得るＭｅｄｉａＦＬＯにすでに存在している。その後、ユーザ閲覧選択の周期的な報告の一部として、移動デバイスは、工程５３０で、実際に表示された広告のＩＤを報告することができる。この周期的な報告は、コンテンツ・ストリームの表示中あるいはその後のように、いつでも行われることができる。
【００４１】
方法５００によって可能にされた閲覧された広告の報告は、工程４０６で、移動デバイスへブロードキャストされて受け取られる広告の選択を支援するためにユーザ・プロファイルを確立するように、ブロードキャスタ、コンテンツ・プロバイダまたは広告主によって使用されることができる。このようなデータの報告はまた、ディストリビュータ及びコンテンツ・プロバイダが、消費者の買い物と相関のある、それぞれの特定のａｄが実際に閲覧された回数に基づいて、広告項目への市場反応を測定する助けとなる。閲覧された広告に関するデータはまた、コンテンツ・プロバイダ及び広告主に役立つことができ、それによって、コンテンツ・プロバイダはユーザにより選択された（したがって、その製品に関する何等かのユーザ・プリファランスを示す）広告に関してもっと多くの代金を請求することが可能となり、広告主は実際に閲覧されたものだけの料金を支払うことができるようになる。
【００４２】
図６は、前のユーザ選択及びユーザ・プリファランスに基づく重み係数及びユーザ選択に基づいてマルチメディア・コンテンツ・ストリーム内で広告コンテンツを表示するように移動デバイス内でインプリメントされることのできる別の例示的な実施形態の方法６００を示す。方法６００はまた方法４００に類似しているが、ユーザ入力に基づいて調節される重みつけ値に基づいて広告を選択することを含むように変更されている。方法６００の工程４０３において、移動デバイスは、ブロードキャスト・システムからマルチメディア・コンテンツ・ストリームを受け取る。工程６０７において、移動デバイスは、割当てられた重みつけ値を含む広告コンテンツ項目、及び挿入ポイントのしるしを受け取ることができる。これらの広告重みつけ値は、ブロードキャスタ、コンテンツ・プロバイダ、広告主、あるいは他の団体によって割当てられることができる。広告重みつけ値は、各広告コンテンツ項目に関連したデータあるいはメタデータとして、もしくは別のデータ・ストリームで送信される別のデータ構造として送信されることができる。広告コンテンツに関連した重み係数は、各ユーザ・インターフェース表示中に含まれること（そのａｄがユーザ・インターフェース表示の中にどの程度頻繁に含まれるかを含む）に関して、及び／またはそのユーザ・インターフェース表示中にリストにされる項目の順番を決定することに関して項目を選択するために、移動デバイスにより使用されることができる。重み係数はまた、特定のａｄがデフォルト広告としてどの程度頻繁に現れるかを決定することを含む、デフォルト広告を選択するために移動デバイスにより使用されることができる。重みつけ値は、広告主により支払われた料金、その移動デバイスのユーザ・プロファイルへの相互関係、その広告項目の人気または成功等のような、多くのファクタに基づいて割当てられることができる。例えば、コンテンツ・プロバイダは、割当てられた重み係数に基づいて広告主に請求することができ、広告主は、それらが望まれる頻度でユーザへ提示されることとなる重み係数の料金を支払うことを選ぶことができる。
【００４３】
工程４０９において、工程６０７で受け取られた広告項目は、メモリに記憶されることができる。工程６１３において、移動デバイスは、広告重み係数に基づいて次のユーザ・インターフェース表示の中に含まれる広告項目代替物のリストを生成することができる。広告重み係数は、種々のアルゴリズムを使用してこのリストを生成するために使用されることができる。例えば、３つの代替の広告のリストにおいて、最も高い重み係数を有するものは、最初にリストにされることかできる。別の例として、その３つの最も高い重み係数を有するそれらａｄは、第１のユーザ・インターフェース表示のために選択され、次の３つの最も高いａｄは次のユーザ・インターフェース表示のために選択され、他も同様に行われることができる。別の例においては、重み係数は、各ａｄが最後に表示のために選択された時及び各ａｄが最後にメニューに現れた時に基づいて、メニューに関してａｄを選択するアルゴリズムと組み合せて使用されることができる。このやり方においては、より高い重み係数を有する広告コンテンツは、より低い重み係数を有するものより頻繁にユーザ・インターフェース表示中に含まれるために選択されることができる。
【００４４】
工程４１５において、挿入ポイントより前の時間に、移動デバイスは広告項目代替物の決定されたリストに基づいてユーザ・インターフェース表示を生成し、図４を参照して上述したように工程４１８においてユーザの入力を待つ。移動デバイスは、決定工程４２１で、ユーザ選択が受け取られるか否かを決定することができる。ユーザ選択が受け取られたことを移動デバイスが決定する（すなわち、決定工程４２１＝「イエス」である）場合、移動デバイスは、工程４２７で、ユーザによって選択された広告タイプに一致した広告項目、あるいは選択された広告項目をメモリから呼び出し、それを表示し始めることができる。ユーザ選択が受け取られなかったことを移動デバイスが決定する（すなわち、決定工程４２１＝「ノー」である）場合、移動デバイスは、工程４２４で、デフォルト広告項目を呼び出して表示し始めることができる。工程６２９において、移動デバイスは、表示される選択されたまたはデフォルトの広告項目の重みつけ値を調節することができる。選択された広告項目の重みつけ値へのこの随意の調節は、工程６１３において項目が広告項目代替物のリストに関して繰り返し選択されないようにするやり方で行われ、したがって代替物のリストをフレッシュに保つことができる。その代りに、時間にわたってユーザの気に入った広告が選択のために優先的に提示されるように、重み係数はユーザの選択を反映するように強調されることができる。選択されたまたはデフォルトの広告項目が表示された後、移動デバイスは、工程４３０で、オリジナルのコンテンツ項目を表示することに戻ることができる。さらに、この実施形態の一部として、移動デバイスは、図５を参照して上述したように、閲覧されたａｄを追跡し、この情報を周期的に報告することができる。
【００４５】
上述した方法の説明及びプロセスのフロー図は単に説明例として与えられているに過ぎず、提示されたその順序で種々の実施形態の工程が行われなければならないことを要求あるいは意味するものではない。当業者により認識されるように、上述の実施形態中の工程の順序は、任意の順序で行われることができる。「それ以降」、「その後」、「次」等のような単語は工程の順序を制限するものではない。これらの単語は、複数の方法の説明について読み手を導くために使用されているに過ぎない。さらに、例えば、「あるひとつの」または「その」という言葉を使用して、単数で請求項の要素を指すことは、その要素を単数に制限するものと解釈してはならない。
【００４６】
ここに開示された態様に関連して記載された種々の例示的な論理ブロック、モジュール、回路、及びアルゴリズムは、電子ハードウェア、コンピュータ・ソフトウェア、あるいは両者の組合せとしてインプリメントされることができる。ハードウェアとソフトウェアのこの互換性を明確に示すために、種々の例示的なコンポーネント、ブロック、モジュール、回路、及び工程が、それらの機能に関して一般的に上述されてきた。このような機能がハードウェアとしてインプリメントされるか、ソフトウェアとしてインプリメントされるかは、システム全体に課される設計制約及び特定の適用に依存する。当業者は、特定の適用のそれぞれに関して異なるやり方でその記載の機能をインプリメントすることができるが、しかしこのようなインプリメンテーションの決定は、本願発明の技術的範囲からの逸脱を生じさせるものと解釈してはならない。
【００４７】
ここに開示された態様に関連して記載された種々の例示的な論理、論理ブロック、モジュール、及び回路をインプリメントするために使用されるハードウェアは、汎用プロセッサ、デジタル信号プロセッサ（ＤＳＰ）、特定用途向け集積回路（ＡＳＩＣ）、フィールド・プログラム可能なゲート・アレイ（ＦＰＧＡ）あるいは他のプログラム可能な論理デバイス、ディスクリート・ゲートまたはトランジスタ論理、ディスクリート・ハードウェア・コンポーネント、あるいはここに記載された機能を行うように設計されたその任意の組合せを用いて、インプリメントされるか、あるいは行われることができる。汎用プロセッサはマイクロプロセッサであり得るが、しかし代替形態では、このプロセッサは、任意の通常のプロセッサ、コントローラ、マイクロコントローラ、またはステートマシンであることができる。プロセッサはまた、例えば、ＤＳＰコアに関連した１または複数のマイクロプロセッサ、複数のＤＳＰコア、複数のマイクロプロセッサ、１つのマイクロプロセッサと１つのＤＳＰの組合せ等の、計算デバイスの組合せ、あるいは任意の他のこのような構成としてインプリメントされ得る。その代わり、何等かの工程または方法は、与えられた機能に特有である回路によって行われ得る。
【００４８】
１または複数の典型的な形態において、記載された機能はハードウェア、ソフトウェア、ファームウェア、またはその任意の組み合わせで実施されることができる。ハードウェアでインプリメントされる場合、その機能は、無線受信機または移動デバイスでの使用に適したものであり得る無線信号処理回路の回路内でインプリメントされ得る。このような無線信号処理回路は、種々の実施形態に記載された信号測定及び計算工程を行う回路を含み得る。ソフトウェアでインプリメントされる場合、その機能は、タンジブル・コンピュータ可読記憶媒体またはタンジブル・プロセッサ可読記憶媒体上に１つまたは複数の命令またはコードとして記憶され、あるいは送信されることができる。ここに開示された方法またはアルゴリズムの工程は、コンピュータ可読記憶媒体上に存在し得る実行されたプロセッサ実行可能なソフトウェア・モジュールで実施されることができる。コンピュータ可読またはプロセッサ可読記憶媒体は、コンピュータによりアクセスされ得る任意の利用可能なタンジブル記憶媒体であることができる。限定ではなく、例示すると、このようなコンピュータ可読媒体は、ＲＡＭ、ＲＯＭ、ＥＥＰＲＯＭ、ＣＤ−ＲＯＭ、あるいは他の光ディスク記憶装置、磁気ディスク記憶装置もしくは他の磁気記憶デバイス、もしくは、命令またはデータ構造の形で所望のプログラムコードを搬送もしくは記憶するために使用でき、コンピュータによってアクセスされ得る他の任意の媒体を備えることができる。ここで使用されるディスク（ｄｉｓｋ及びｄｉｓｃ）は、コンパクトディスク（ＣＤ）、レーザディスク、光ディスク、デジタル多用途ディスク（ＤＶＤ）、フロッピー（登録商標）ディスク、ブルーレイ（登録商標）ディスクを含み、ここでディスク（disk）は通常データを磁気的に再生し、一方ディスク（disc）はレーザを用いてデータを光学的に再生する。上記の組合せはまた、コンピュータ可読媒体の技術的範囲内に含まれるべきである。さらに、アルゴリズムまたは方法の動作は、コンピュータ可読媒体及び／または機械可読媒体上の命令及び／またはコードのひとつまたは任意の組合せまたはセットとして存在することができ、それはコンピュータ・プログラム製品に組み込まれることができる。
【００４９】
上記の開示された実施形態の説明は、当業者が本願発明を作成または使用することを可能にするために提供される。これらの実施形態への種々の修正は当業者に容易に明らかとなり、ここに規定された一般原理は本願発明の技術的範囲を逸脱することなく他の実施形態に適用されることができる。したがって、本願発明はここに示されている実施形態に限定されるものではなく、ここに開示された新規の特徴及び原理並びに添付の特許請求の範囲に一致する広い技術的範囲を与えられる。
【図１】
2013516914.tif 000004
【図２】
2013516914.tif 000005
【図３Ａ】
2013516914.tif 000006
【図３Ｂ】
2013516914.tif 000007
【図３Ｃ】
2013516914.tif 000008
【図４】
2013516914.tif 000009
【図５】
2013516914.tif 000010
【図６】
2013516914.tif 000011
【手続補正書】
【提出日】平成24年9月7日(2012.9.7)
【手続補正１】
【補正対象書類名】明細書
【補正対象項目名】００４９
【補正方法】変更
【補正の内容】
【００４９】
上記の開示された実施形態の説明は、当業者が本願発明を作成または使用することを可能にするために提供される。これらの実施形態への種々の修正は当業者に容易に明らかとなり、ここに規定された一般原理は本願発明の技術的範囲を逸脱することなく他の実施形態に適用されることができる。したがって、本願発明はここに示されている実施形態に限定されるものではなく、ここに開示された新規の特徴及び原理並びに添付の特許請求の範囲に一致する広い技術的範囲を与えられる。  
以下に、本願出願の当初の特許請求の範囲に記載された発明を付記する。  
［Ｃ１］
下記を備える、ユーザ対話に基づいて移動デバイス上での表示のために広告コンテンツを選択する方法、
前記移動デバイスにおいてマルチメディア・コンテンツ・ストリームを受け取ること、
前記マルチメディア・コンテンツ・ストリーム内の広告の挿入ポイントのしるしを受け取ること、
前記移動デバイス上におけるマルチメディア・コンテンツ項目の表示中に広告コンテンツに関連した選択を入力するために前記移動デバイスのユーザのためのプロンプトを表示すること、
受け取られたユーザ入力が存在する場合、その受け取られたユーザ入力に基づいて表示のための広告コンテンツ項目を決定すること、
前記挿入ポイントから始まる前記決定された広告コンテンツ項目を前記移動デバイス上に表示すること。
［Ｃ２］
下記をさらに備えるＣ１記載の方法、
挿入ポイントの前記しるしを受け取る前に広告コンテンツ項目を受け取ること、
前記移動デバイスのメモリに前記受け取られた広告コンテンツを記憶すること、
ここにおいて、前記挿入ポイントから始まる前記決定された広告コンテンツ項目を前記移動デバイス上に表示することは、前記決定された広告コンテンツ項目をメモリから呼び出すことを備える。
［Ｃ３］
下記をさらに備えるＣ２記載の方法、
前記決定された広告コンテンツ項目の識別子を記録すること、
前記広告コンテンツ項目の前記識別子をサービスに報告すること。
［Ｃ４］
下記をさらに備えるＣ２記載の方法、
タイム・リミットが満期になるまで、ユーザ入力のための前記プロンプトの表示に続いてユーザ入力を受け付けること、
ユーザ入力が前記タイム・リミット内に受け取られたか否かを決定すること、
ここにおいて、受け取られたユーザ入力が存在する場合その受け取られたユーザ入力に基づいて表示のための広告コンテンツ項目を決定することは、ユーザ入力が前記タイム・リミット内に受け取られなかったことが決定されるとき、デフォルト広告コンテンツ項目を選択することを備える。
［Ｃ５］
広告コンテンツに関連した選択を入力するために前記移動デバイスのユーザのためのプロンプトを表示することは、広告コンテンツに関連した代替の選択のリストを含むユーザ・インターフェース表示を生成すること、及び提供されるユーザ入力インターフェースのうちの１つを活動化することにより、ユーザが選択された代替物を示すことを可能にするように構成されたユーザ入力インターフェースを提供することを備える、Ｃ４記載の方法。
［Ｃ６］
広告コンテンツに関連した代替の選択の前記リストは、代替の広告コンテンツ項目のリストを備え、
受け取られたユーザ入力が存在する場合に、その受け取られたユーザ入力に基づいて表示のための広告コンテンツ項目を決定することは、ユーザ入力が前記タイム・リミット内に受け取られたことが決定されるとき、受け取られたユーザ入力に対応した広告コンテンツ項目を選択することを備える、Ｃ５記載の方法。
［Ｃ７］
広告コンテンツに関連した代替の選択の前記リストは、広告コンテンツのタイプのリストを備える、
受け取られたユーザ入力が存在する場合に、その受け取られたユーザ入力に基づいて表示のための広告コンテンツ項目を決定することは、ユーザ入力が前記タイム・リミット内に受け取られたことが決定されるとき、受け取られたユーザ入力に対応した広告コンテンツのタイプに一致したタイプの広告コンテンツ項目を選択することを備える、Ｃ５記載の方法。
［Ｃ８］
広告コンテンツに関連した代替の選択のリストを含むユーザ・インターフェース表示を生成することは、ユーザ・プリファランス設定に基づいて広告コンテンツに関連した代替の選択のリストを生成することを備える、Ｃ５記載の方法。
［Ｃ９］
広告コンテンツに関連した代替の選択のリストを含むユーザ・インターフェース表示を生成することは、ユーザ人口統計学情報に基づいて広告コンテンツに関連した代替の選択のリストを生成することを備える、Ｃ５記載の方法。
［Ｃ１０］
受け取られた広告コンテンツ項目は対応した重みつけ値を含み、
広告コンテンツに関連した代替の選択のリストを含むユーザ・インターフェース表示を生成することは、メモリに記憶された広告コンテンツ項目の前記対応した重みつけ値に基づいて代替の広告コンテンツ項目のリストを生成することを備える
Ｃ５記載の方法。
［Ｃ１１］
下記をさらに備える、Ｃ１０記載の方法、
前記表示された広告コンテンツ項目に対応した前記重みつけ値を調節すること。
［Ｃ１２］
前記マルチメディア・コンテンツ・ストリーム内の広告のための挿入ポイントの前記受け取られたしるしは、代替の選択の前記リストに含めるための広告コンテンツ項目を選択することに関連したメタデータを含む、
メモリに記憶された広告コンテンツ項目の前記対応した重みつけ値に基づいて代替の広告コンテンツ項目の前記リストを生成することは、前記挿入ポイントの前記受け取られたしるしに含まれる前記メタデータ及び前記対応した重みつけ値に基づいて、代替の広告コンテンツ項目の前記リストを生成することをさらに備える
Ｃ１０記載の方法。
［Ｃ１３］
下記を備える、ユーザ対話に基づいて広告コンテンツを表示するように構成された移動デバイス、
マルチメディア・コンテンツ・ストリームを受け取るための手段、
マルチメディア・コンテンツ・ストリーム内の広告のための挿入ポイントのしるしを受け取るための手段、
前記移動デバイス上のマルチメディア・コンテンツ項目の表示中に広告コンテンツに関連した選択を入力するために前記移動デバイスのユーザのためのプロンプトを表示するための手段、
受け取られたユーザ入力が存在する場合に、その受け取られたユーザ入力に基づいて表示のための広告コンテンツ項目を決定するための手段、
前記挿入ポイントから始まる前記決定された広告コンテンツ項目を表示するための手段。
［Ｃ１４］
下記をさらに備える、Ｃ１３記載の移動デバイス、
挿入ポイントの前記しるしを受け取る前に広告コンテンツ項目を受け取るための手段、
前記受け取られた広告コンテンツを記憶するためのメモリ手段、
ここにおいて、前記挿入ポイントから始まる前記決定された広告コンテンツ項目を表示するための手段は、前記決定された広告コンテンツ項目を前記メモリ手段から呼び出すための手段を備える。
［Ｃ１５］
下記をさらに備えるＣ１４記載の移動デバイス、
前記決定された広告コンテンツ項目の識別子を記録するための手段、
前記広告コンテンツ項目の前記識別子をサービスに報告するための手段。
［Ｃ１６］
下記をさらに備えるＣ１４記載の移動デバイス、
タイム・リミットが満期になるまで、ユーザ入力のための前記プロンプトの表示に続いてユーザ入力を受け付けるための手段、
ユーザ入力が前記タイム・リミット内に受け取られたか否かを決定するための手段、
ここにおいて、受け取られたユーザ入力が存在する場合に、その受け取られたユーザ入力に基づいて表示のための広告コンテンツ項目を決定するための手段は、ユーザ入力が前記タイム・リミット内に受け取られなかったことが決定されるとき、デフォルト広告コンテンツ項目を選択するための手段を備える。
［Ｃ１７］
広告コンテンツに関連した選択を入力するために前記移動デバイスのユーザのためのプロンプトを表示するための手段は、広告コンテンツに関連した代替の選択のリストを含むユーザ・インターフェース表示を生成するための手段、及び提供されるユーザ入力インターフェースのうちの１つを活動化することにより、ユーザが選択された代替物を示すことを可能にするように構成されたユーザ入力インターフェースを提供する手段を備える、Ｃ１６記載の移動デバイス。
［Ｃ１８］
広告コンテンツに関連した代替の選択の前記リストは、代替の広告コンテンツ項目のリストを備え、
受け取られたユーザ入力が存在する場合に、その受け取られたユーザ入力に基づいて表示のための広告コンテンツ項目を決定するための手段は、ユーザ入力が前記タイム・リミット内に受け取られたことが決定されるとき、受け取られたユーザ入力に対応した広告コンテンツ項目を選択するための手段を備える、Ｃ１７記載の移動デバイス。
［Ｃ１９］
広告コンテンツに関連した代替の選択の前記リストは、広告コンテンツのタイプのリストを備える、
受け取られたユーザ入力が存在する場合に、その受け取られたユーザ入力に基づいて表示のための広告コンテンツ項目を決定するための手段は、ユーザ入力が前記タイム・リミット内に受け取られたことが決定されるとき、受け取られたユーザ入力に対応した広告コンテンツのタイプに一致したタイプの広告コンテンツ項目を選択するための手段を備える、Ｃ１７記載の移動デバイス。
［Ｃ２０］
広告コンテンツに関連した代替の選択のリストを含むユーザ・インターフェース表示を生成するための手段は、ユーザ・プリファランス設定に基づいて広告コンテンツに関連した代替の選択のリストを生成するための手段を備える、Ｃ１７記載の移動デバイス。
［Ｃ２１］
広告コンテンツに関連した代替の選択のリストを含むユーザ・インターフェース表示を生成するための手段は、ユーザ人口統計学情報に基づいて広告コンテンツに関連した代替の選択のリストを生成するための手段を備える、Ｃ１７記載の移動デバイス。
［Ｃ２２］
受け取られた広告コンテンツ項目は対応した重みつけ値を含み、
広告コンテンツに関連した代替の選択のリストを含むユーザ・インターフェース表示を生成するための手段は、前記メモリ手段に記憶された広告コンテンツ項目の前記対応した重みつけ値に基づいて代替の広告コンテンツ項目のリストを生成するための手段を備える
Ｃ１７記載の移動デバイス。
［Ｃ２３］
下記をさらに備える、Ｃ２２記載の移動デバイス、
前記表示された広告コンテンツ項目に対応した前記重みつけ値を調節するための手段。
［Ｃ２４］
前記マルチメディア・コンテンツ・ストリーム内の広告のための挿入ポイントの前記受け取られた指示は、代替の選択の前記リストに含めるための広告コンテンツ項目を選択することに関連したメタデータを含む、
メモリに記憶された広告コンテンツ項目の前記対応した重みつけ値に基づいて代替の広告コンテンツ項目の前記リストを生成するための手段は、前記挿入ポイントの前記受け取られたしるしに含まれる前記メタデータ及び前記対応した重みつけ値に基づいて、代替の広告コンテンツ項目の前記リストを生成するための手段をさらに備える
Ｃ２２記載の移動デバイス。
［Ｃ２５］
下記を備える、ユーザ対話に基づいて広告コンテンツを表示するように構成された移動デバイス、
プロセッサ、
前記プロセッサに結合された表示装置、
前記プロセッサに結合され、マルチメディア・ブロードキャストを受信するように構成された受信機回路、
前記プロセッサに結合されたメモリ、
ここにおいて、前記プロセッサは、プロセッサ実行可能な命令を用いて、下記を備える動作を行うように構成される、
前記受信機回路からマルチメディア・コンテンツ・ストリームを受け取ること、
前記マルチメディア・コンテンツ・ストリーム内の広告のための挿入ポイントの指示を受け取ること、
前記表示装置上におけるマルチメディア・コンテンツ項目の表示中に広告コンテンツに関する選択を入力するために前記移動デバイスのユーザのためのプロンプトを表示すること、
受け取られたユーザ入力が存在する場合に、その受け取られたユーザ入力に基づいて表示のための広告コンテンツ項目を決定すること、
前記挿入ポイントから始まる前記決定された広告コンテンツ項目を前記表示装置上に表示すること。
［Ｃ２６］
前記プロセッサは、プロセッサ実行可能な命令を用いて、下記をさらに備える動作を行うように構成される、Ｃ２５記載の移動デバイス、
挿入ポイントの前記指示を受け取る前に広告コンテンツ項目を受け取ること、
前記メモリに前記受け取られた広告コンテンツを記憶すること、
ここにおいて、前記挿入ポイントから始まる前記決定された広告コンテンツ項目を前記表示装置上に表示することは、前記決定された広告コンテンツ項目を前記メモリから呼び出すことを備える。
［Ｃ２７］
前記プロセッサは、プロセッサ実行可能な命令を用いて、下記をさらに備える動作を行うように構成される、Ｃ２６記載の移動デバイス、
前記決定された広告コンテンツ項目の識別子を記録すること、
前記広告コンテンツ項目の前記識別子をサービスに報告すること。
［Ｃ２８］
前記プロセッサは、プロセッサ実行可能な命令を用いて、下記をさらに備える動作を行うように構成される、Ｃ２６記載の移動デバイス、
タイム・リミットが満期になるまで、ユーザ入力のための前記プロンプトの表示に続いてユーザ入力を受け付けること、
ユーザ入力が前記タイム・リミット内に受け取られたか否かを決定すること、
ここにおいて、受け取られたユーザ入力が存在する場合その受け取られたユーザ入力に基づいて表示のための広告コンテンツ項目を決定することは、ユーザ入力が前記タイム・リミット内に受け取られなかったことが決定されるとき、デフォルト広告コンテンツ項目を選択することを備える。
［Ｃ２９］
前記プロセッサは、プロセッサ実行可能な命令を用いて、広告コンテンツに関連した選択を入力するために前記移動デバイスのユーザのためのプロンプトを表示することが、広告コンテンツに関連した代替の選択のリストを含むユーザ・インターフェース表示を生成すること、及び提供されるユーザ入力インターフェースのうちの１つを活動化することにより、ユーザが選択された代替物を示すことを可能にするように構成されたユーザ入力インターフェースを提供することをできるように、動作を行うように構成される、Ｃ２８記載の移動デバイス。
［Ｃ３０］
前記プロセッサは、プロセッサ実行可能な命令を用いて、
広告コンテンツに関連した代替の選択の前記リストが、代替の広告コンテンツ項目のリストを備え、
受け取られたユーザ入力が存在する場合に、その受け取られたユーザ入力に基づいて表示のための広告コンテンツ項目を決定することが、ユーザ入力が前記タイム・リミット内に受け取られたことが決定されるとき、受け取られたユーザ入力に対応した広告コンテンツ項目を選択することをできるように、
動作を行うように構成される、Ｃ２９記載の移動デバイス。
［Ｃ３１］
前記プロセッサは、プロセッサ実行可能な命令を用いて、
広告コンテンツに関連した代替の選択の前記リストは、広告コンテンツのタイプのリストを備える、
受け取られたユーザ入力が存在する場合に、その受け取られたユーザ入力に基づいて表示のための広告コンテンツ項目を決定することは、ユーザ入力が前記タイム・リミット内に受け取られたことが決定されるとき、受け取られたユーザ入力に対応した広告コンテンツのタイプに一致したタイプの広告コンテンツ項目を選択することをできるように、
動作を行うように構成される、Ｃ２９記載の移動デバイス。
［Ｃ３２］
前記プロセッサは、プロセッサ実行可能な命令を用いて、広告コンテンツに関連した代替の選択のリストを含むユーザ・インターフェース表示を生成することは、ユーザ・プリファランス設定に基づいて広告コンテンツに関連した代替の選択のリストを生成することをできるように、動作を行うように構成される、Ｃ２９記載の移動デバイス。
［Ｃ３３］
前記プロセッサは、プロセッサ実行可能な命令を用いて、広告コンテンツに関連した代替の選択のリストを含むユーザ・インターフェース表示を生成することは、ユーザ人口統計学情報に基づいて広告コンテンツに関連した代替の選択のリストを生成することをできるように、動作を行うように構成される、Ｃ２９記載の移動デバイス。
［Ｃ３４］
前記プロセッサは、プロセッサ実行可能な命令を用いて、
受け取られた広告コンテンツ項目は対応した重みつけ値を含み、
広告コンテンツに関連した代替の選択のリストを含むユーザ・インターフェース表示を生成することは、メモリに記憶された広告コンテンツ項目の前記対応した重みつけ値に基づいて代替の広告コンテンツ項目のリストを生成することをできるように、
動作を行うように構成される、Ｃ２９記載の移動デバイス。
［Ｃ３５］
前記プロセッサは、プロセッサ実行可能な命令を用いて、下記をさらに備える動作を行うように構成される、Ｃ３４記載の移動デバイス、
前記表示された広告コンテンツ項目に対応した前記重みつけ値を調節すること。
［Ｃ３６］
前記プロセッサは、プロセッサ実行可能な命令を用いて、下記をできるように動作を行うように構成される、Ｃ３４記載の移動デバイス、
前記マルチメディア・コンテンツ・ストリーム内の広告のための挿入ポイントの前記受け取られたしるしは、代替の選択の前記リストに含めるための広告コンテンツ項目を選択することに関連したメタデータを含む、
メモリに記憶された広告コンテンツ項目の前記対応した重みつけ値に基づいて代替の広告コンテンツ項目の前記リストを生成することは、前記挿入ポイントの前記受け取られたしるしに含まれる前記メタデータ及び前記対応した重みつけ値に基づいて、代替の広告コンテンツ項目の前記リストを生成することをさらに備える。
［Ｃ３７］
下記を備える動作を、移動デバイスのプロセッサに行わせるように構成されたプロセッサ実行可能な命令がその上に記憶されたタンジブル・プロセッサ可読記憶媒体、
マルチメディア・コンテンツ・ストリームを受け取ること、
前記マルチメディア・コンテンツ・ストリーム内の広告の挿入ポイントのしるしを受け取ること、
前記移動デバイス上におけるマルチメディア・コンテンツ項目の表示中に広告コンテンツに関連した選択を入力するために前記移動デバイスのユーザのためのプロンプトを表示すること、
受け取られたユーザ入力が存在する場合、その受け取られたユーザ入力に基づいて表示のための広告コンテンツ項目を決定すること、
前記挿入ポイントから始まる前記決定された広告コンテンツ項目を前記移動デバイス上に表示すること。
［Ｃ３８］
前記記憶されたプロセッサ実行可能な命令は、下記をさらに備える動作を、移動デバイスのプロセッサに行わせるように構成される、Ｃ３７記載のタンジブル・プロセッサ可読記憶媒体、
挿入ポイントの前記しるしを受け取る前に広告コンテンツ項目を受け取ること、
前記移動デバイスのメモリに前記受け取られた広告コンテンツを記憶すること、
ここにおいて、前記挿入ポイントから始まる前記決定された広告コンテンツ項目を前記移動デバイス上に表示することは、前記決定された広告コンテンツ項目をメモリから呼び出すことを備える。
［Ｃ３９］
前記記憶されたプロセッサ実行可能な命令は、下記をさらに備える動作を、移動デバイスのプロセッサに行わせるように構成される、Ｃ３８記載のタンジブル・プロセッサ可読記憶媒体、
前記決定された広告コンテンツ項目の識別子を記録すること、
前記広告コンテンツ項目の前記識別子をサービスに報告すること。
［Ｃ４０］
前記記憶されたプロセッサ実行可能な命令は、下記をさらに備える動作を、移動デバイスのプロセッサに行わせるように構成される、Ｃ３８記載のタンジブル・プロセッサ可読記憶媒体、
タイム・リミットが満期になるまで、ユーザ入力のための前記プロンプトの表示に続いてユーザ入力を受け付けること、
ユーザ入力が前記タイム・リミット内に受け取られたか否かを決定すること、
ここにおいて、受け取られたユーザ入力が存在する場合その受け取られたユーザ入力に基づいて表示のための広告コンテンツ項目を決定することは、ユーザ入力が前記タイム・リミット内に受け取られなかったことが決定されるとき、デフォルト広告コンテンツ項目を選択することを備える。
［Ｃ４１］
前記記憶されたプロセッサ実行可能な命令は、広告コンテンツに関連した選択を入力するために前記移動デバイスのユーザのためのプロンプトを表示することが、広告コンテンツに関連した代替の選択のリストを含むユーザ・インターフェース表示を生成すること、及び提供されるユーザ入力インターフェースのうちの１つを活動化することにより、ユーザが選択された代替物を示すことを可能にするように構成されたユーザ入力インターフェースを提供することを備えることができるように、移動デバイスのプロセッサに動作を行わせるように構成される、Ｃ４０記載のタンジブル・プロセッサ可読記憶媒体。
［Ｃ４２］
前記記憶されたプロセッサ実行可能な命令は、
広告コンテンツに関連した代替の選択の前記リストが、代替の広告コンテンツ項目のリストを備え、
受け取られたユーザ入力が存在する場合に、その受け取られたユーザ入力に基づいて表示のための広告コンテンツ項目を決定することが、ユーザ入力が前記タイム・リミット内に受け取られたことが決定されるとき、受け取られたユーザ入力に対応した広告コンテンツ項目を選択することを備えることができるように、
移動デバイスのプロセッサに動作を行わせるように構成される、Ｃ４１記載のタンジブル・プロセッサ可読記憶媒体。
［Ｃ４３］
前記記憶されたプロセッサ実行可能な命令は、
広告コンテンツに関連した代替の選択の前記リストが、広告コンテンツのタイプのリストを備え、
受け取られたユーザ入力が存在する場合に、その受け取られたユーザ入力に基づいて表示のための広告コンテンツ項目を決定することが、ユーザ入力が前記タイム・リミット内に受け取られたことが決定されるとき、受け取られたユーザ入力に対応した広告コンテンツのタイプに一致したタイプの広告コンテンツ項目を選択することを備えることができるように、
移動デバイスのプロセッサに動作を行わせるように構成される、Ｃ４１記載のタンジブル・プロセッサ可読記憶媒体。
［Ｃ４４］
前記記憶されたプロセッサ実行可能な命令は、広告コンテンツに関連した代替の選択のリストを含むユーザ・インターフェース表示を生成することが、ユーザ・プリファランス設定に基づいて広告コンテンツに関連した代替の選択のリストを生成することを備えることができるように、移動デバイスのプロセッサに動作を行わせるように構成される、Ｃ４１記載のタンジブル・プロセッサ可読記憶媒体。
［Ｃ４５］
前記記憶されたプロセッサ実行可能な命令は、広告コンテンツに関連した代替の選択のリストを含むユーザ・インターフェース表示を生成することが、ユーザ人口統計学情報に基づいて広告コンテンツに関連した代替の選択のリストを生成することを備えることができるように、移動デバイスのプロセッサに動作を行わせるように構成される、Ｃ４１記載のタンジブル・プロセッサ可読記憶媒体。
［Ｃ４６］
前記記憶されたプロセッサ実行可能な命令は、
受け取られた広告コンテンツ項目は対応した重みつけ値を含み、
広告コンテンツに関連した代替の選択のリストを含むユーザ・インターフェース表示を生成することが、メモリに記憶された広告コンテンツ項目の前記対応した重みつけ値に基づいて代替の広告コンテンツ項目のリストを生成することを備えることができるように、
移動デバイスのプロセッサに動作を行わせるように構成される、Ｃ４１記載のタンジブル・プロセッサ可読記憶媒体。
［Ｃ４７］
前記記憶されたプロセッサ実行可能な命令は、下記をさらに備える動作を、移動デバイスのプロセッサに行わせるように構成される、Ｃ４６記載のタンジブル・プロセッサ可読記憶媒体、
前記表示された広告コンテンツ項目に対応した前記重みつけ値を調節すること。
［Ｃ４８］
前記記憶されたプロセッサ実行可能な命令は、
前記マルチメディア・コンテンツ・ストリーム内の広告のための挿入ポイントの前記受け取られたしるしが、代替の選択の前記リストに含めるための広告コンテンツ項目を選択することに関連したメタデータを含み、
メモリに記憶された広告コンテンツ項目の前記対応した重みつけ値に基づいて代替の広告コンテンツ項目の前記リストを生成することが、前記挿入ポイントの前記受け取られたしるしに含まれる前記メタデータ及び前記対応した重みつけ値に基づいて、代替の広告コンテンツ項目の前記リストを生成することをさらに備えることができるように、
移動デバイスのプロセッサに動作を行わせるように構成される、Ｃ４６記載のタンジブル・プロセッサ可読記憶媒体。
［Ｃ４９］
下記を備える無線通信システム、
下記を備えるマルチメディア・ブロードキャスト・ネットワーク、
マルチメディア・コンテンツ・ストリームをブロードキャストするための手段、
前記マルチメディア・コンテンツ・ストリーム内の広告の挿入ポイントのしるしを含むための手段、
広告の前記挿入ポイントに先立って複数の広告をブロードキャストするための手段、
下記を備える、ユーザ対話に基づいて広告コンテンツを表示するように構成された移動デバイス、
前記ブロードキャストされた複数の広告を受け取るための手段、
前記受け取られたブロードキャストされた複数の広告を記憶するための手段、
前記マルチメディア・コンテンツ・ストリームを受け取るための手段、
前記マルチメディア・コンテンツ・ストリーム内の広告の挿入ポイントのしるしを受け取るための手段、
マルチメディア・コンテンツ項目の表示中に広告コンテンツに関連した選択を入力するために前記移動デバイスのユーザのためのプロンプトを表示するための手段、
前記表示されたプロンプトに応答してユーザ入力を受け取るための手段、
受け取られたユーザ入力が存在する場合、その受け取られたユーザ入力に基づいて表示のための広告コンテンツ項目を、前記記憶された複数の広告の中から決定するための手段、
前記挿入ポイントから始まる前記決定された広告コンテンツ項目を表示するための手段。
［Ｃ５０］
下記を備える無線通信システム、
下記を備えるマルチメディア・ブロードキャスト・ネットワーク、
サーバ、
前記サーバに結合されたブロードキャスト送信機システム、
ここにおいて、前記サーバは、サーバ実行可能な命令を用いて、ブロードキャストのためにコンテンツをフォーマットし、下記を行うように前記ブロードキャスト送信機システムに命令するように構成される、
マルチメディア・コンテンツ・ストリームをブロードキャストすること、
前記マルチメディア・コンテンツ・ストリーム内の広告の挿入ポイントのしるしを含むこと、
広告の前記挿入ポイントに先立って複数の広告をブロードキャストすること、
下記を備える、ユーザ対話に基づいて広告コンテンツを表示するように構成された移動デバイス、
プロセッサ、
前記プロセッサに結合された表示装置、
前記プロセッサに結合され、マルチメディア・ブロードキャストを受け取るように構成された受信機回路、
前記プロセッサに結合されたメモリ、
ここにおいて、前記プロセッサは、プロセッサ実行可能な命令を用いて、下記を備える動作を行うように構成される、
前記受信機回路を介して前記ブロードキャストされた複数の広告を受け取ること、
前記受け取られたブロードキャストされた複数の広告を前記メモリに記憶すること、
前記受信機回路を介して前記マルチメディア・コンテンツ・ストリームを受け取ること、
前記マルチメディア・コンテンツ・ストリーム内の広告の挿入ポイントの前記しるしを受け取ること、
前記表示装置上における前記マルチメディア・コンテンツ項目の表示中に、広告コンテンツに関連した選択を入力するために前記移動デバイスのユーザのためのプロンプトを表示すること、
前記表示されたプロンプトに応答してユーザ入力を受け取ること、
受け取られたユーザ入力が存在する場合、その受け取られたユーザ入力に基づいて表示のための広告コンテンツ項目を、前記記憶された複数の広告の中から決定すること、
前記決定された広告コンテンツを前記メモリから呼び出すこと、
前記挿入ポイントから始まる前記決定された広告コンテンツ項目を、前記表示装置上に表示すること。
【手続補正２】
【補正対象書類名】特許請求の範囲
【補正対象項目名】全文
【補正方法】変更
【補正の内容】
【特許請求の範囲】
【請求項１】
下記を備える、ユーザ対話に基づいて移動デバイス上での表示のために広告コンテンツを選択する方法、
前記移動デバイスにおいてマルチメディア・コンテンツ・ストリームを受け取ること、
前記マルチメディア・コンテンツ・ストリーム内の広告の挿入ポイントのしるしを受け取ること、
前記移動デバイス上におけるマルチメディア・コンテンツ項目の表示中に広告コンテンツに関連した選択を入力するために前記移動デバイスのユーザのためのプロンプトを表示すること、
受け取られたユーザ入力が存在する場合、その受け取られたユーザ入力に基づいて前記移動デバイス上における表示のための広告コンテンツ項目を決定すること、
前記挿入ポイントから始まる前記決定された広告コンテンツ項目を前記移動デバイス上に表示すること。
【請求項２】
下記をさらに備える請求項１記載の方法、
挿入ポイントの前記しるしを受け取る前に広告コンテンツ項目を受け取ること、
前記移動デバイスのメモリに前記受け取られた広告コンテンツを記憶すること、
ここにおいて、前記挿入ポイントから始まる前記決定された広告コンテンツ項目を前記移動デバイス上に表示することは、前記決定された広告コンテンツ項目をメモリから呼び出すことを備える。
【請求項３】
下記をさらに備える請求項２記載の方法、
前記決定された広告コンテンツ項目の識別子を記録すること、
前記広告コンテンツ項目の前記識別子をサービスに報告すること。
【請求項４】
下記をさらに備える請求項２記載の方法、
タイム・リミットが満期になるまで、ユーザ入力のための前記プロンプトの表示に続いてユーザ入力を受け付けること、
ユーザ入力が前記タイム・リミット内に受け取られたか否かを決定すること、
ここにおいて、受け取られたユーザ入力が存在する場合その受け取られたユーザ入力に基づいて表示のための広告コンテンツ項目を決定することは、ユーザ入力が前記タイム・リミット内に受け取られなかったことが決定されるとき、デフォルト広告コンテンツ項目を選択することを備える。
【請求項５】
広告コンテンツに関連した選択を入力するために前記移動デバイスのユーザのためのプロンプトを表示することは、広告コンテンツに関連した代替の選択のリストを含むユーザ・インターフェース表示を生成すること、及び提供されるユーザ入力インターフェースのうちの１つを活動化することにより、ユーザが選択された代替物を示すことを可能にするように構成されたユーザ入力インターフェースを提供することを備える、請求項４記載の方法。
【請求項６】
広告コンテンツに関連した代替の選択の前記リストは、代替の広告コンテンツ項目のリストを備え、
受け取られたユーザ入力が存在する場合に、その受け取られたユーザ入力に基づいて表示のための広告コンテンツ項目を決定することは、ユーザ入力が前記タイム・リミット内に受け取られたことが決定されるとき、受け取られたユーザ入力に対応した広告コンテンツ項目を選択することを備える、請求項５記載の方法。
【請求項７】
広告コンテンツに関連した代替の選択の前記リストは、広告コンテンツのタイプのリストを備える、
受け取られたユーザ入力が存在する場合に、その受け取られたユーザ入力に基づいて表示のための広告コンテンツ項目を決定することは、ユーザ入力が前記タイム・リミット内に受け取られたことが決定されるとき、受け取られたユーザ入力に対応した広告コンテンツのタイプに一致したタイプの広告コンテンツ項目を選択することを備える、請求項５記載の方法。
【請求項８】
広告コンテンツに関連した代替の選択のリストを含むユーザ・インターフェース表示を生成することは、ユーザ・プリファランス設定に基づいて広告コンテンツに関連した代替の選択のリストを生成することを備える、請求項５記載の方法。
【請求項９】
広告コンテンツに関連した代替の選択のリストを含むユーザ・インターフェース表示を生成することは、ユーザ人口統計学情報に基づいて広告コンテンツに関連した代替の選択のリストを生成することを備える、請求項５記載の方法。
【請求項１０】
受け取られた広告コンテンツ項目は対応した重みつけ値を含み、
広告コンテンツに関連した代替の選択のリストを含むユーザ・インターフェース表示を生成することは、メモリに記憶された広告コンテンツ項目の前記対応した重みつけ値に基づいて代替の広告コンテンツ項目のリストを生成することを備える
請求項５記載の方法。
【請求項１１】
下記をさらに備える、請求項１０記載の方法、
前記表示された広告コンテンツ項目に対応した前記重みつけ値を調節すること。
【請求項１２】
前記マルチメディア・コンテンツ・ストリーム内の広告のための挿入ポイントの前記受け取られたしるしは、代替の選択の前記リストに含めるための広告コンテンツ項目を選択することに関連したメタデータを含む、
メモリに記憶された広告コンテンツ項目の前記対応した重みつけ値に基づいて代替の広告コンテンツ項目の前記リストを生成することは、前記挿入ポイントの前記受け取られたしるしに含まれる前記メタデータ及び前記対応した重みつけ値に基づいて、代替の広告コンテンツ項目の前記リストを生成することをさらに備える
請求項１０記載の方法。
【請求項１３】
下記を備える、ユーザ対話に基づいて広告コンテンツを表示するように構成された移動デバイス、
マルチメディア・コンテンツ・ストリームを受け取るための手段、
マルチメディア・コンテンツ・ストリーム内の広告のための挿入ポイントのしるしを受け取るための手段、
前記移動デバイス上のマルチメディア・コンテンツ項目の表示中に広告コンテンツに関連した選択を入力するために前記移動デバイスのユーザのためのプロンプトを表示するための手段、
受け取られたユーザ入力が存在する場合に、その受け取られたユーザ入力に基づいて前記移動デバイス上における表示のための広告コンテンツ項目を決定するための手段、
前記挿入ポイントから始まる前記決定された広告コンテンツ項目を表示するための手段。
【請求項１４】
下記をさらに備える、請求項１３記載の移動デバイス、
挿入ポイントの前記しるしを受け取る前に広告コンテンツ項目を受け取るための手段、
前記受け取られた広告コンテンツを記憶するためのメモリ手段、
ここにおいて、前記挿入ポイントから始まる前記決定された広告コンテンツ項目を表示するための手段は、前記決定された広告コンテンツ項目を前記メモリ手段から呼び出すための手段を備える。
【請求項１５】
下記をさらに備える請求項１４記載の移動デバイス、
前記決定された広告コンテンツ項目の識別子を記録するための手段、
前記広告コンテンツ項目の前記識別子をサービスに報告するための手段。
【請求項１６】
下記をさらに備える請求項１４記載の移動デバイス、
タイム・リミットが満期になるまで、ユーザ入力のための前記プロンプトの表示に続いてユーザ入力を受け付けるための手段、
ユーザ入力が前記タイム・リミット内に受け取られたか否かを決定するための手段、
ここにおいて、受け取られたユーザ入力が存在する場合に、その受け取られたユーザ入力に基づいて表示のための広告コンテンツ項目を決定するための手段は、ユーザ入力が前記タイム・リミット内に受け取られなかったことが決定されるとき、デフォルト広告コンテンツ項目を選択するための手段を備える。
【請求項１７】
広告コンテンツに関連した選択を入力するために前記移動デバイスのユーザのためのプロンプトを表示するための手段は、広告コンテンツに関連した代替の選択のリストを含むユーザ・インターフェース表示を生成するための手段、及び提供されるユーザ入力インターフェースのうちの１つを活動化することにより、ユーザが選択された代替物を示すことを可能にするように構成されたユーザ入力インターフェースを提供する手段を備える、請求項１６記載の移動デバイス。
【請求項１８】
広告コンテンツに関連した代替の選択の前記リストは、代替の広告コンテンツ項目のリストを備え、
受け取られたユーザ入力が存在する場合に、その受け取られたユーザ入力に基づいて表示のための広告コンテンツ項目を決定するための手段は、ユーザ入力が前記タイム・リミット内に受け取られたことが決定されるとき、受け取られたユーザ入力に対応した広告コンテンツ項目を選択するための手段を備える、請求項１７記載の移動デバイス。
【請求項１９】
広告コンテンツに関連した代替の選択の前記リストは、広告コンテンツのタイプのリストを備える、
受け取られたユーザ入力が存在する場合に、その受け取られたユーザ入力に基づいて表示のための広告コンテンツ項目を決定するための手段は、ユーザ入力が前記タイム・リミット内に受け取られたことが決定されるとき、受け取られたユーザ入力に対応した広告コンテンツのタイプに一致したタイプの広告コンテンツ項目を選択するための手段を備える、請求項１７記載の移動デバイス。
【請求項２０】
広告コンテンツに関連した代替の選択のリストを含むユーザ・インターフェース表示を生成するための手段は、ユーザ・プリファランス設定に基づいて広告コンテンツに関連した代替の選択のリストを生成するための手段を備える、請求項１７記載の移動デバイス。
【請求項２１】
広告コンテンツに関連した代替の選択のリストを含むユーザ・インターフェース表示を生成するための手段は、ユーザ人口統計学情報に基づいて広告コンテンツに関連した代替の選択のリストを生成するための手段を備える、請求項１７記載の移動デバイス。
【請求項２２】
受け取られた広告コンテンツ項目は対応した重みつけ値を含み、
広告コンテンツに関連した代替の選択のリストを含むユーザ・インターフェース表示を生成するための手段は、前記メモリ手段に記憶された広告コンテンツ項目の前記対応した重みつけ値に基づいて代替の広告コンテンツ項目のリストを生成するための手段を備える
請求項１７記載の移動デバイス。
【請求項２３】
下記をさらに備える、請求項２２記載の移動デバイス、
前記表示された広告コンテンツ項目に対応した前記重みつけ値を調節するための手段。
【請求項２４】
前記マルチメディア・コンテンツ・ストリーム内の広告のための挿入ポイントの前記受け取られたしるしは、代替の選択の前記リストに含めるための広告コンテンツ項目を選択することに関連したメタデータを含む、
メモリに記憶された広告コンテンツ項目の前記対応した重みつけ値に基づいて代替の広告コンテンツ項目の前記リストを生成するための手段は、前記挿入ポイントの前記受け取られたしるしに含まれる前記メタデータ及び前記対応した重みつけ値に基づいて、代替の広告コンテンツ項目の前記リストを生成するための手段をさらに備える
請求項２２記載の移動デバイス。
【請求項２５】
下記を備える、ユーザ対話に基づいて広告コンテンツを表示するように構成された移動デバイス、
プロセッサ、
前記プロセッサに結合された表示装置、
前記プロセッサに結合され、マルチメディア・ブロードキャストを受信するように構成された受信機回路、
前記プロセッサに結合されたメモリ、
ここにおいて、前記プロセッサは、プロセッサ実行可能な命令を用いて、下記を備える動作を行うように構成される、
前記受信機回路からマルチメディア・コンテンツ・ストリームを受け取ること、
前記マルチメディア・コンテンツ・ストリーム内の広告のための挿入ポイントのしるしを受け取ること、
前記表示装置上におけるマルチメディア・コンテンツ項目の表示中に広告コンテンツに関する選択を入力するために前記移動デバイスのユーザのためのプロンプトを表示すること、
受け取られたユーザ入力が存在する場合に、その受け取られたユーザ入力に基づいて前記移動デバイス上における表示のための広告コンテンツ項目を決定すること、
前記挿入ポイントから始まる前記決定された広告コンテンツ項目を前記表示装置上に表示すること。
【請求項２６】
前記プロセッサは、プロセッサ実行可能な命令を用いて、下記をさらに備える動作を行うように構成される、請求項２５記載の移動デバイス、
挿入ポイントの前記しるしを受け取る前に広告コンテンツ項目を受け取ること、
前記メモリに前記受け取られた広告コンテンツを記憶すること、
ここにおいて、前記挿入ポイントから始まる前記決定された広告コンテンツ項目を前記表示装置上に表示することは、前記決定された広告コンテンツ項目を前記メモリから呼び出すことを備える。
【請求項２７】
前記プロセッサは、プロセッサ実行可能な命令を用いて、下記をさらに備える動作を行うように構成される、請求項２６記載の移動デバイス、
前記決定された広告コンテンツ項目の識別子を記録すること、
前記広告コンテンツ項目の前記識別子をサービスに報告すること。
【請求項２８】
前記プロセッサは、プロセッサ実行可能な命令を用いて、下記をさらに備える動作を行うように構成される、請求項２６記載の移動デバイス、
タイム・リミットが満期になるまで、ユーザ入力のための前記プロンプトの表示に続いてユーザ入力を受け付けること、
ユーザ入力が前記タイム・リミット内に受け取られたか否かを決定すること、
ここにおいて、受け取られたユーザ入力が存在する場合その受け取られたユーザ入力に基づいて表示のための広告コンテンツ項目を決定することは、ユーザ入力が前記タイム・リミット内に受け取られなかったことが決定されるとき、デフォルト広告コンテンツ項目を選択することを備える。
【請求項２９】
前記プロセッサは、プロセッサ実行可能な命令を用いて、広告コンテンツに関連した選択を入力するために前記移動デバイスのユーザのためのプロンプトを表示することが、広告コンテンツに関連した代替の選択のリストを含むユーザ・インターフェース表示を生成すること、及び提供されるユーザ入力インターフェースのうちの１つを活動化することにより、ユーザが選択された代替物を示すことを可能にするように構成されたユーザ入力インターフェースを提供することをできるように、動作を行うように構成される、請求項２８記載の移動デバイス。
【請求項３０】
前記プロセッサは、プロセッサ実行可能な命令を用いて、
広告コンテンツに関連した代替の選択の前記リストが、代替の広告コンテンツ項目のリストを備え、
受け取られたユーザ入力が存在する場合に、その受け取られたユーザ入力に基づいて表示のための広告コンテンツ項目を決定することが、ユーザ入力が前記タイム・リミット内に受け取られたことが決定されるとき、受け取られたユーザ入力に対応した広告コンテンツ項目を選択することをできるように、
動作を行うように構成される、請求項２９記載の移動デバイス。
【請求項３１】
前記プロセッサは、プロセッサ実行可能な命令を用いて、
広告コンテンツに関連した代替の選択の前記リストは、広告コンテンツのタイプのリストを備える、
受け取られたユーザ入力が存在する場合に、その受け取られたユーザ入力に基づいて表示のための広告コンテンツ項目を決定することは、ユーザ入力が前記タイム・リミット内に受け取られたことが決定されるとき、受け取られたユーザ入力に対応した広告コンテンツのタイプに一致したタイプの広告コンテンツ項目を選択することをできるように、
動作を行うように構成される、請求項２９記載の移動デバイス。
【請求項３２】
前記プロセッサは、プロセッサ実行可能な命令を用いて、広告コンテンツに関連した代替の選択のリストを含むユーザ・インターフェース表示を生成することは、ユーザ・プリファランス設定に基づいて広告コンテンツに関連した代替の選択のリストを生成することをできるように、動作を行うように構成される、請求項２９記載の移動デバイス。
【請求項３３】
前記プロセッサは、プロセッサ実行可能な命令を用いて、広告コンテンツに関連した代替の選択のリストを含むユーザ・インターフェース表示を生成することは、ユーザ人口統計学情報に基づいて広告コンテンツに関連した代替の選択のリストを生成することをできるように、動作を行うように構成される、請求項２９記載の移動デバイス。
【請求項３４】
前記プロセッサは、プロセッサ実行可能な命令を用いて、
受け取られた広告コンテンツ項目は対応した重みつけ値を含み、
広告コンテンツに関連した代替の選択のリストを含むユーザ・インターフェース表示を生成することは、メモリに記憶された広告コンテンツ項目の前記対応した重みつけ値に基づいて代替の広告コンテンツ項目のリストを生成することをできるように、
動作を行うように構成される、請求項２９記載の移動デバイス。
【請求項３５】
前記プロセッサは、プロセッサ実行可能な命令を用いて、下記をさらに備える動作を行うように構成される、請求項３４記載の移動デバイス、
前記表示された広告コンテンツ項目に対応した前記重みつけ値を調節すること。
【請求項３６】
前記プロセッサは、プロセッサ実行可能な命令を用いて、下記をできるように動作を行うように構成される、請求項３４記載の移動デバイス、
前記マルチメディア・コンテンツ・ストリーム内の広告のための挿入ポイントの前記受け取られたしるしは、代替の選択の前記リストに含めるための広告コンテンツ項目を選択することに関連したメタデータを含む、
メモリに記憶された広告コンテンツ項目の前記対応した重みつけ値に基づいて代替の広告コンテンツ項目の前記リストを生成することは、前記挿入ポイントの前記受け取られたしるしに含まれる前記メタデータ及び前記対応した重みつけ値に基づいて、代替の広告コンテンツ項目の前記リストを生成することをさらに備える。
【請求項３７】
下記を備える動作を、移動デバイスのプロセッサに行わせるように構成されたプロセッサ実行可能な命令がその上に記憶されたタンジブル・プロセッサ可読記憶媒体、
マルチメディア・コンテンツ・ストリームを受け取ること、
前記マルチメディア・コンテンツ・ストリーム内の広告の挿入ポイントのしるしを受け取ること、
前記移動デバイス上におけるマルチメディア・コンテンツ項目の表示中に広告コンテンツに関連した選択を入力するために前記移動デバイスのユーザのためのプロンプトを表示すること、
受け取られたユーザ入力が存在する場合、その受け取られたユーザ入力に基づいて前記移動デバイス上における表示のための広告コンテンツ項目を決定すること、
前記挿入ポイントから始まる前記決定された広告コンテンツ項目を前記移動デバイス上に表示すること。
【請求項３８】
前記記憶されたプロセッサ実行可能な命令は、下記をさらに備える動作を、移動デバイスのプロセッサに行わせるように構成される、請求項３７記載のタンジブル・プロセッサ可読記憶媒体、
挿入ポイントの前記しるしを受け取る前に広告コンテンツ項目を受け取ること、
前記移動デバイスのメモリに前記受け取られた広告コンテンツを記憶すること、
ここにおいて、前記挿入ポイントから始まる前記決定された広告コンテンツ項目を前記移動デバイス上に表示することは、前記決定された広告コンテンツ項目をメモリから呼び出すことを備える。
【請求項３９】
前記記憶されたプロセッサ実行可能な命令は、下記をさらに備える動作を、移動デバイスのプロセッサに行わせるように構成される、請求項３８記載のタンジブル・プロセッサ可読記憶媒体、
前記決定された広告コンテンツ項目の識別子を記録すること、
前記広告コンテンツ項目の前記識別子をサービスに報告すること。
【請求項４０】
前記記憶されたプロセッサ実行可能な命令は、下記をさらに備える動作を、移動デバイスのプロセッサに行わせるように構成される、請求項３８記載のタンジブル・プロセッサ可読記憶媒体、
タイム・リミットが満期になるまで、ユーザ入力のための前記プロンプトの表示に続いてユーザ入力を受け付けること、
ユーザ入力が前記タイム・リミット内に受け取られたか否かを決定すること、
ここにおいて、受け取られたユーザ入力が存在する場合その受け取られたユーザ入力に基づいて表示のための広告コンテンツ項目を決定することは、ユーザ入力が前記タイム・リミット内に受け取られなかったことが決定されるとき、デフォルト広告コンテンツ項目を選択することを備える。
【請求項４１】
前記記憶されたプロセッサ実行可能な命令は、広告コンテンツに関連した選択を入力するために前記移動デバイスのユーザのためのプロンプトを表示することが、広告コンテンツに関連した代替の選択のリストを含むユーザ・インターフェース表示を生成すること、及び提供されるユーザ入力インターフェースのうちの１つを活動化することにより、ユーザが選択された代替物を示すことを可能にするように構成されたユーザ入力インターフェースを提供することを備えることができるように、移動デバイスのプロセッサに動作を行わせるように構成される、請求項４０記載のタンジブル・プロセッサ可読記憶媒体。
【請求項４２】
前記記憶されたプロセッサ実行可能な命令は、
広告コンテンツに関連した代替の選択の前記リストが、代替の広告コンテンツ項目のリストを備え、
受け取られたユーザ入力が存在する場合に、その受け取られたユーザ入力に基づいて表示のための広告コンテンツ項目を決定することが、ユーザ入力が前記タイム・リミット内に受け取られたことが決定されるとき、受け取られたユーザ入力に対応した広告コンテンツ項目を選択することを備えることができるように、
移動デバイスのプロセッサに動作を行わせるように構成される、請求項４１記載のタンジブル・プロセッサ可読記憶媒体。
【請求項４３】
前記記憶されたプロセッサ実行可能な命令は、
広告コンテンツに関連した代替の選択の前記リストが、広告コンテンツのタイプのリストを備え、
受け取られたユーザ入力が存在する場合に、その受け取られたユーザ入力に基づいて表示のための広告コンテンツ項目を決定することが、ユーザ入力が前記タイム・リミット内に受け取られたことが決定されるとき、受け取られたユーザ入力に対応した広告コンテンツのタイプに一致したタイプの広告コンテンツ項目を選択することを備えることができるように、
移動デバイスのプロセッサに動作を行わせるように構成される、請求項４１記載のタンジブル・プロセッサ可読記憶媒体。
【請求項４４】
前記記憶されたプロセッサ実行可能な命令は、広告コンテンツに関連した代替の選択のリストを含むユーザ・インターフェース表示を生成することが、ユーザ・プリファランス設定に基づいて広告コンテンツに関連した代替の選択のリストを生成することを備えることができるように、移動デバイスのプロセッサに動作を行わせるように構成される、請求項４１記載のタンジブル・プロセッサ可読記憶媒体。
【請求項４５】
前記記憶されたプロセッサ実行可能な命令は、広告コンテンツに関連した代替の選択のリストを含むユーザ・インターフェース表示を生成することが、ユーザ人口統計学情報に基づいて広告コンテンツに関連した代替の選択のリストを生成することを備えることができるように、移動デバイスのプロセッサに動作を行わせるように構成される、請求項４１記載のタンジブル・プロセッサ可読記憶媒体。
【請求項４６】
前記記憶されたプロセッサ実行可能な命令は、
受け取られた広告コンテンツ項目は対応した重みつけ値を含み、
広告コンテンツに関連した代替の選択のリストを含むユーザ・インターフェース表示を生成することが、メモリに記憶された広告コンテンツ項目の前記対応した重みつけ値に基づいて代替の広告コンテンツ項目のリストを生成することを備えることができるように、
移動デバイスのプロセッサに動作を行わせるように構成される、請求項４１記載のタンジブル・プロセッサ可読記憶媒体。
【請求項４７】
前記記憶されたプロセッサ実行可能な命令は、下記をさらに備える動作を、移動デバイスのプロセッサに行わせるように構成される、請求項４６記載のタンジブル・プロセッサ可読記憶媒体、
前記表示された広告コンテンツ項目に対応した前記重みつけ値を調節すること。
【請求項４８】
前記記憶されたプロセッサ実行可能な命令は、
前記マルチメディア・コンテンツ・ストリーム内の広告のための挿入ポイントの前記受け取られたしるしが、代替の選択の前記リストに含めるための広告コンテンツ項目を選択することに関連したメタデータを含み、
メモリに記憶された広告コンテンツ項目の前記対応した重みつけ値に基づいて代替の広告コンテンツ項目の前記リストを生成することが、前記挿入ポイントの前記受け取られたしるしに含まれる前記メタデータ及び前記対応した重みつけ値に基づいて、代替の広告コンテンツ項目の前記リストを生成することをさらに備えることができるように、
移動デバイスのプロセッサに動作を行わせるように構成される、請求項４６記載のタンジブル・プロセッサ可読記憶媒体。
【請求項４９】
下記を備える無線通信システム、
下記を備えるマルチメディア・ブロードキャスト・ネットワーク、
マルチメディア・コンテンツ・ストリームをブロードキャストするための手段、
前記マルチメディア・コンテンツ・ストリーム内の広告の挿入ポイントのしるしを含むための手段、
広告の前記挿入ポイントに先立って複数の広告をブロードキャストするための手段、
下記を備える、ユーザ対話に基づいて広告コンテンツを表示するように構成された移動デバイス、
前記ブロードキャストされた複数の広告を受け取るための手段、
前記受け取られたブロードキャストされた複数の広告を記憶するための手段、
前記マルチメディア・コンテンツ・ストリームを受け取るための手段、
前記マルチメディア・コンテンツ・ストリーム内の広告の挿入ポイントのしるしを受け取るための手段、
マルチメディア・コンテンツ項目の表示中に広告コンテンツに関連した選択を入力するために前記移動デバイスのユーザのためのプロンプトを表示するための手段、
前記表示されたプロンプトに応答して前記移動デバイスにおいてユーザ入力を受け取るための手段、
受け取られたユーザ入力が存在する場合、その受け取られたユーザ入力に基づいて表示のための広告コンテンツ項目を、前記記憶された複数の広告の中から決定するための手段、
前記挿入ポイントから始まる前記決定された広告コンテンツ項目を表示するための手段。
【請求項５０】
下記を備える無線通信システム、
下記を備えるマルチメディア・ブロードキャスト・ネットワーク、
サーバ、
前記サーバに結合されたブロードキャスト送信機システム、
ここにおいて、前記サーバは、サーバ実行可能な命令を用いて、ブロードキャストのためにコンテンツをフォーマットし、下記を行うように前記ブロードキャスト送信機システムに命令するように構成される、
マルチメディア・コンテンツ・ストリームをブロードキャストすること、
前記マルチメディア・コンテンツ・ストリーム内の広告の挿入ポイントのしるしを含むこと、
広告の前記挿入ポイントに先立って複数の広告をブロードキャストすること、
下記を備える、ユーザ対話に基づいて広告コンテンツを表示するように構成された移動デバイス、
プロセッサ、
前記プロセッサに結合された表示装置、
前記プロセッサに結合され、マルチメディア・ブロードキャストを受け取るように構成された受信機回路、
前記プロセッサに結合されたメモリ、
ここにおいて、前記プロセッサは、プロセッサ実行可能な命令を用いて、下記を備える動作を行うように構成される、
前記受信機回路を介して前記ブロードキャストされた複数の広告を受け取ること、
前記受け取られたブロードキャストされた複数の広告を前記メモリに記憶すること、
前記受信機回路を介して前記マルチメディア・コンテンツ・ストリームを受け取ること、
前記マルチメディア・コンテンツ・ストリーム内の広告の挿入ポイントの前記しるしを受け取ること、
前記表示装置上における前記マルチメディア・コンテンツ項目の表示中に、広告コンテンツに関連した選択を入力するために前記移動デバイスのユーザのためのプロンプトを表示すること、
前記表示されたプロンプトに応答して前記移動デバイスにおいてユーザ入力を受け取ること、
受け取られたユーザ入力が存在する場合、その受け取られたユーザ入力に基づいて表示のための広告コンテンツ項目を、前記記憶された複数の広告の中から決定すること、
前記決定された広告コンテンツを前記メモリから呼び出すこと、
前記挿入ポイントから始まる前記決定された広告コンテンツ項目を、前記表示装置上に表示すること。
【国際調査報告】
2013516914.tif 000012